(57)【要約】【課題】結束保持した配線束の余長を吸収することを可能にするスライド機構組込み式部品の製造方法を提供する。【解決手段】      金型１００は、複数の金型部１０１からなる。各金型部１０１は、環状部をなすガイド部成形空間１３０Ｇの内周側に挿通され、その先端面１０１ｔに凹部１０１Ｓが形成される突出部を有する。各金型部１０１は、突出部１０１Ｔをガイド部成形空間１３０Ｇの先で他の金型部１０１に当接させることで、それらの内側に第一部材成形空間１２０を形成するとともに、それら突出部の外側に、第一部材成形空間１２０と非連通の第二部材成形空間１３０を形成する。【選択図】図２３
2018001667.tif 000002
【特許請求の範囲】
【請求項１】
第一部材と、前記第一部材に対しスライド可能とされた第二部材と、を備えたスライド機構組込み式部品の製造方法であって、
複数の金型部が型締めされた１つの金型内に、前記第一部材を成形する第一部材成形空間と、前記第二部材を成形する第二部材成形空間とが、が互いに非連通に設けられ、それら第一部材成形空間及び第二部材成形空間に対しそれぞれ樹脂射出を行い、双方を冷却固化して型開きすることにより前記第一部材と前記第二部材とを同時に成形するとともに、
前記第一部材は、予め定められたスライド方向に直交する互いに異なる方向へと突出する３以上のスライド部を有し、
前記第二部材は、前記スライド方向に延出する対向壁部として形成されてその対向間に前記スライド部が挿通される３以上のガイド部を有し、
前記金型部は、前記ガイド部毎に設けられるスライド機構成形型部を含み、
前記スライド機構成形型部は、前記金型の内部に向けて突出する突出部を有し、当該突出部は、前記金型の型締め状態において前記対向壁部を成形する対向壁部成形空間の対向間に挿通されて、当該対向壁部の対向空間を成形し、かつ挿通された先の先端面に凹部を有して、当該凹部の内部で前記対向空間に挿通される前記スライド部を成形するものであり、
前記金型は、型締め状態において、各前記スライド機構成形型部の前記突出部が前記対向空間を挿通した先で他の前記金型部に当接することにより、当接したそれら突出部により隔てられ、かつそれら突出部の先端面の前記凹部内の空間と連通する前記第一部材成形空間が形成される一方、当該突出部の外側には、前記対向空間を含む前記第二部材成形空間が形成され、型開き時においては、それら各スライド機構成形型部をそれぞれの前記突出部の突出方向とは逆向きに型抜きされることにより、前記スライド部が前記ガイド部をなす前記対向壁部の対向間に挿通されたガイド状態にあり、なおかつそれらの挿通状態によって分離不能状態とされた前記第一部材と前記第二部材とを同時に成形することを特徴とするスライド機構組込み式部品の製造方法。
【請求項２】
前記スライド部は、前記対向壁部に向かって突出形成されたガタ抑制用突出部を有し、
前記金型は、前記対向壁部の成形空間と、当該対向壁部の間の対向空間内に挿通される前記スライド部の成形空間との間に、これら双方の成形空間を非連通に隔てる仕切壁部を有し、
前記仕切壁部は、前記ガタ抑制用突出部を成形する突出部成形用凹部を有するとともに、前記スライド方向において、当該突出部成形用凹部が位置する凹区間が薄肉部として形成され、残余区間が前記薄肉部よりも厚みのある厚肉部として形成されている請求項１に記載のスライド機構組込み式部品の製造方法。
【請求項３】
前記仕切壁部は、少なくとも前記スライド方向の両端部に前記突出部成形用凹部を有する請求項２に記載のスライド機構組込み式部品の製造方法。
【請求項４】
前記第一部材及び前記第二部材のうちの一方は、車体側に組み付けられる係合組付け部が設けられた係合組付け部材である請求項１ないし請求項３のいずれか１項に記載のスライド機構組込み式部品の製造方法。
【請求項５】
前記第一部材及び前記第二部材のうちの一方は、所定の相手コネクタに対し接続可能なコネクタ部が設けられたコネクタ部材である請求項１ないし請求項３のいずれか１項に記載のスライド機構組込み式部品の製造方法。
【請求項６】
前記第一部材及び前記第二部材のうちの一方は、配線束が当接する形で配置される配線当接部を有し、当該配線当接部は、前記第一部材が前記配線束に対し非接触となるよう、前記第一部材及び前記第二部材のうちの他方よりも前記配線束側で、前記配線束と当接する請求項１ないし請求項５のいずれか１項に記載のスライド機構組込み式部品の製造方法。
【請求項７】
前記スライド部は、挿通する前記ガイド部からさらに突出して外部に露出する目視用先端部を有する請求項１ないし請求項６のいずれか１項に記載のスライド機構組込み式部品の製造方法。
【発明の詳細な説明】
【技術分野】
【０００１】
本発明は、スライド機構組込み式部品の製造方法に関する。
【背景技術】
【０００２】
例えば車体に配線束を取り付けるための車両部品には、配線束を結束するベルト等の結束部と車体に組み付けられる係合組付け部とを一体に有したもの（例えば特許文献１）がある。また、こうした車両部品には、係合組付け部のみが設けられ、ベルトやテープ等の別体の結束部材によって、配線束と共に結束保持されるものもある。
【０００３】
このような車両部品を用いて、配線束を結束状態で車体の所定位置に取り付けた場合、当該車両部品に対する配線束の第一側ではその長さに余裕があるのに対し、その逆の第二側では長さに余裕が無く、予定されている配線束の第二側の配置領域に配線束の第二側が収まりきらない場合がある。逆に、配線束が第一側で余裕がありすぎて、予定されている配線束の第一側の配置領域に、その余長を吸収するスペースが無く、配線束の第一側が収まりきらない場合もある。このような課題を解決するために、結束部側と係合組付け部側とが配線束の第一側及び第二側にスライド移動できる機構を組み込みたいという要望がある。
【先行技術文献】
【特許文献】
【０００４】
【特許文献１】特開２００５−３４１７７６号公報
【発明の概要】
【発明が解決しようとする課題】
【０００５】
しかしながら、スライド機構を組み込んだ場合、結束部側と係合組付け部側とをそれぞれ別で成形した上で、それらを組み付ける作業が必要となるため、特許文献１のような従来部品よりも製造工数が多くなるという課題がある。また、スライド機構を設ける場合には、スライド部とそのスライド部をガイドするガイド部との間にガタつきが生じるといった課題も生じる。
【０００６】
本発明の課題は、結束保持した配線束の余長を吸収することを可能にするスライド機構組込み式部品の製造方法を提供することにある。
【課題を解決するための手段及び発明の効果】
【０００７】
上記課題を解決するために、本発明のスライド機構組込み式部品の製造方法は、
第一部材と第二部材とがスライドする形で互いに相対移動可能と設けられたスライド機構組込み式部品の製造方法であって、
複数の金型部が型締めされた１つの金型内に、前記第一部材を成形する第一部材成形空間と、前記第二部材を成形する第二部材成形空間とが、が互いに非連通に設けられ、それら第一部材成形空間及び第二部材成形空間に対しそれぞれ樹脂射出を行い、双方を冷却固化して型開きすることにより前記第一部材と前記第二部材とを同時に成形するとともに、
前記第一部材は、予め定められたスライド方向に直交する互いに異なる方向へと突出する３以上のスライド部を有し、
前記第二部材は、前記スライド方向に延出する対向壁部として形成されてその対向間に前記スライド部が挿通される３以上のガイド部を有し、
前記金型部は、前記ガイド部毎に設けられるスライド機構成形型部を含み、
前記スライド機構成形型部は、前記金型の内部に向けて突出する突出部を有し、当該突出部は、前記金型の型締め状態において前記対向壁部を成形する対向壁部成形空間の対向間に挿通されて、当該対向壁部の対向空間を成形し、かつ挿通された先の先端面に凹部を有して、当該凹部の内部で前記対向空間に挿通される前記スライド部を成形するものであり、
前記金型は、型締め状態において、各前記スライド機構成形型部の前記突出部が前記対向空間を挿通した先で他の前記金型部に当接することにより、当接したそれら突出部により隔てられ、かつそれら突出部の先端面の前記凹部内の空間と連通する前記第一部材成形空間が形成される一方、当該突出部の外側には、前記対向空間を含む前記第二部材成形空間が形成され、型開き時においては、それら各スライド機構成形型部をそれぞれの前記突出部の突出方向とは逆向きに型抜きされることにより、前記スライド部が前記ガイド部をなす前記対向壁部の対向間に挿通されたガイド状態にあり、なおかつそれらの挿通状態によって分離不能状態とされた前記第一部材と前記第二部材とを同時に成形することを特徴とする。
【０００８】
上記スライド機構組込み式部品は、第一部材のスライド部をスライド方向に直交する互いに異なる３方向以上に突出させた形状とし、第二部材のガイド部をそれら３方向以上のスライド部をそれぞれ挿通させる形状としている。これにより、第一部材と第二部材とは、スライドが可能なだけでなく、互いに離脱不能な状態となっている。また、上記のような金型形状とすることで、１つの金型を型開きするだけで、第一部材と第二部材とがスライド可能、かつ離脱不能な状態をなしたスライド機構組込み式部品を製造することができる。具体的にいえば、金型において、対向壁部をなすガイド部とその対向壁部間に挿通されるスライド部とを成形する突出部を有したスライド機構成形型部を設けるとともに、型開き時におけるそれらスライド機構成形型部の型抜け方向を、その突出部の突出方向とは逆向きとすることで、第一部材と第二部材とがスライド可能、かつ離脱不能な状態のスライド機構組込み式部品の製造を可能にしている。
【０００９】
上記金型内において、第一部材のガイド部の成形空間と、そのガイド部内に挿通状態で位置する第二部材のスライド部の成形空間とは、互いが非連通状態に形成されていなければ、成形されるガイド部とスライド部とが一体となってしまい、第一部材と第二部材との間でスライド移動ができなくなってしまう。このため、金型には、第一部材のガイド部と第二部材のスライド部との間を仕切るように位置する仕切壁部が必要となる。ところが、この仕切壁部は、薄くするとこの部分の金型強度が弱くなるという課題が生じるし、厚くすると成形後の第一部材のガイド部と第二部材のスライド部との間の隙間が広がり、ガタつきが大きくなるという課題が生じる。
【００１０】
こうした課題を解決するために、以下の構成を備えることができる。即ち、スライド部には、前記対向壁部に向かって突出形成されたガタ抑制用突出部を設けることができる。この場合、前記金型は、前記対向壁部の成形空間と、当該対向壁部の間の対向空間内に挿通される前記スライド部の成形空間との間に、これら双方の成形空間を非連通に隔てる仕切壁部を有しているが、この仕切壁部に、前記ガタ抑制用突出部を成形する突出部成形用凹部を設けるとともに、前記スライド方向において、当該突出部成形用凹部が位置する凹区間を薄肉部として形成し、残余区間を前記薄肉部よりも厚みのある厚肉部として形成することができる。この構成によれば、ガタ抑制用突出部を設けることで上記ガタつきを軽減する一方で、仕切壁部の薄くなる部分をこのガタ抑制用突出部の部分のみにすることで、一定以上の金型強度を確保することができる。なお、ガタ抑制用突出部は、スライド部において少なくとも上記スライド方向の両端部に設けられていれば、ガタつきを効果的に軽減することができる。
【００１１】
また、金型は、それらスライド機構成形型部のそれぞれの突出部が、第二部材の各ガイド部を成形する対向空間（即ち、ガイド部成形空間）の内側を挿通しており、その突出部と他の金型部との対向間に内部空間を形成している。この内部空間は、突出部の先端面に形成された凹部内の空間とも連通する空間であって、その連通空間全体が第一部材成形空間となる。一方、各スライド機構成形型部の突出部は、ガイド部を成形する対向空間の内側を通過した先で、他の金型部と当接する当接部を有する。当該当接部は、第一部材成形空間とガイド部成形空間とを非連通に仕切る上記の仕切壁部となっており、この仕切壁部に突出部成形用凹部を設けることができる。
【図面の簡単な説明】
【００１２】
【図１】本発明の第一実施例であるスライド機構組込み式部品の配線束結束状態を示した斜視図。
【図２】図１のスライド機構組込み式部品の正面図。
【図３】図１のスライド機構組込み式部品の左側面図。
【図４】図１のスライド機構組込み式部品の平面図。
【図５】図１のスライド機構組込み式部品の底面図。
【図６】図１のスライド機構組込み式部品の第一部材の斜視図。
【図７】図１のスライド機構組込み式部品の第一部材の正面図。
【図８】図１のスライド機構組込み式部品の第一部材の左側面図。
【図９】図１のスライド機構組込み式部品の第一部材の平面図。
【図１０】図１のスライド機構組込み式部品の第一部材の底面図。
【図１１】図１のスライド機構組込み式部品の第二部材の斜視図。
【図１２】図２のＡ−Ａ断面図。
【図１３】図２のＢ−Ｂ断面図。
【図１４】図２のＣ−Ｃ断面図。
【図１５】図４のＤ−Ｄ断面図。
【図１６】図４のＥ−Ｅ断面図。
【図１７】図４のＦ−Ｆ断面図。
【図１８】図４のＧ−Ｇ断面図。
【図１９】図４のＨ−Ｈ断面図。
【図２０】図４のＩ−Ｉ断面図。
【図２１】図４のＪ−Ｊ断面図。
【図２２】図４のＫ−Ｋ断面図。
【図２３】図１のスライド機構組込み式部品を成形する金型の分解斜視図。
【図２４】図２３の金型を、図１２の断面図と同じＡ−Ａ断面で切断した金型断面図。
【図２５】図２３の金型を、図１３の断面図と同じＢ−Ｂ断面で切断した金型断面図。
【図２６】図２３の金型を、図１４の断面図と同じＣ−Ｃ断面で切断した金型断面図。
【図２７】図２３の金型を、図１５の断面図と同じＤ−Ｄ断面で切断した金型断面図。
【図２８】図２３の金型を、図１６の断面図と同じＥ−Ｅ断面で切断した金型断面図。
【図２９】図２３の金型を、図１７の断面図と同じＦ−Ｆ断面で切断した金型断面図。
【図３０】図２３の金型を、図１８の断面図と同じＧ−Ｇ断面で切断した金型断面図。
【図３１】図２３の金型を、図１９の断面図と同じＨ−Ｈ断面で切断した金型断面図。
【図３２】図２３の金型を、図２０の断面図と同じＩ−Ｉ断面で切断した金型断面図。
【図３３】図２３の金型を、図２１の断面図と同じＪ−Ｊ断面で切断した金型断面図。
【図３４】図２３の金型を、図２２の断面図と同じＫ−Ｋ断面で切断した金型断面図。
【図３５】本発明の第二実施例であるスライド機構組込み式部品の配線束結束状態を示した斜視図。
【図３６】図３５のスライド機構組込み式部品の正面図。
【図３７】図３５のスライド機構組込み式部品の背面図。
【図３８】図３５のスライド機構組込み式部品の左側面図。
【図３９】図３５のスライド機構組込み式部品の平面図。
【図４０】図３５のスライド機構組込み式部品の底面図。
【図４１】図３５のスライド機構組込み式部品の第一部材の斜視図。
【図４２】図３５のスライド機構組込み式部品の第一部材の正面図。
【図４３】図３５のスライド機構組込み式部品の第一部材の左側面図。
【図４４】図３５のスライド機構組込み式部品の第一部材の平面図。
【図４５】図３５のスライド機構組込み式部品の第一部材の底面図。
【図４６】図３５のスライド機構組込み式部品の第二部材の斜視図。
【図４７】図３５のスライド機構組込み式部品の第二部材の底面図。
【図４８】図３６のＰ−Ｐ断面図。
【図４９】図３６のＱ−Ｑ断面図。
【図５０】図３６のＲ−Ｒ断面図。
【図５１】図３６のＳ−Ｓ断面図。
【図５２】図３８のＴ−Ｔ断面図。
【図５３】図３８のＵ−Ｕ断面図。
【図５４】図３８のＶ−Ｖ断面図。
【図５５】図３８のＷ−Ｗ断面図。
【図５６】図３８のＸ−Ｘ断面図。
【図５７】図３５のスライド機構組込み式部品を成形する金型の分解斜視図。
【図５８】図５７の金型を、図４８の断面図と同じＰ−Ｐ断面で切断した金型断面図。
【図５９】図５７の金型を、図４９の断面図と同じＱ−Ｑ断面で切断した金型断面図。
【図６０】図５７の金型を、図５０の断面図と同じＲ−Ｒ断面で切断した金型断面図。
【図６１】図５７の金型を、図５１の断面図と同じＳ−Ｓ断面で切断した金型断面図。
【図６２】図５７の金型を、図５２の断面図と同じＴ−Ｔ断面で切断した金型断面図。
【図６３】図５７の金型を、図５３の断面図と同じＵ−Ｕ断面で切断した金型断面図。
【図６４】図５７の金型を、図５４の断面図と同じＶ−Ｖ断面で切断した金型断面図。
【図６５】図５７の金型を、図５５の断面図と同じＷ−Ｗ断面で切断した金型断面図。
【図６６】図５７の金型を、図５６の断面図と同じＸ−Ｘ断面で切断した金型断面図。
【発明を実施するための形態】
【００１３】
以下、本発明の第一実施例を説明する。
【００１４】
図１〜図６に示すスライド機構組込み式部品１は、第一部材２と第二部材３とを、互いが分離不能かつスライド可能とされたスライド機構組込み式の部品である。第一部材２は、スライド部２１を有し、第二部材３は、第一部材２が予め定められたスライド方向２ｘにスライドする形で相対移動可能となるようそのスライド部２１をガイドするガイド部３１を有する。
【００１５】
スライド機構組込み式部品１は、図１に示すように、第二部材３の直下に配線束（即ち、ワイヤーハーネス）５を当接状態で配置し、その配線束５を、第二部材３に設けられた被結束部３００と共に、該第二部材３とは別体をなす結束部（ここではテープ材等）４によって結束し、保持する。また、スライド機構組込み式部品１は、所定の機能を果たす機能部として係合組付け部２００を有する。ここでの係合組付け部２００は、第一部材２に設けられ、車体（図示なし）側に係合組み付けるための機能部である。よって、ここでのスライド機構組込み式部品１は、結束保持した配線束５を車体に対し組み付ける係合組付け部品であるといえる。
【００１６】
以下、図１のスライド機構組込み式部品１について詳細に説明する。
【００１７】
第一部材２は、図２〜図５に示すように、第二部材３に内包される中心部２２と、中心部２２からスライド方向２ｘに対し直交する互いに異なる方向へと突出する３以上のスライド部２１と、係合組付け部２００と、を備えた係合組付け部材である。
【００１８】
ここでのスライド部２１は、図６〜図１０に示すように、中心部２２からスライド方向２ｘに対し直交する第一方向２ｚ１に突出する第一スライド部２１Ａと、中心部２２からスライド方向２ｘに直交する方向で、かつ第一方向２ｚ１とは異なる方向である第二方向２ｙ１に突出する第二スライド部２１Ｂと、中心部２２からスライド方向２ｘに直交する方向で、かつ第一方向２ｚ１及び第二方向２ｙ１とは異なる方向である第三方向２ｙ２に突出する第三スライド部２１Ｃと、中心部２２からスライド方向２ｘに直交する方向で、かつ第一方向２ｚ１と第二方向２ｙ１と第三方向２ｙ２とは異なる方向である第四方向２ｚ２に突出する第四スライド部２１Ｄを有する。
【００１９】
第二部材３は、図１１に示すように、スライド方向２ｘに長く延出してその直交方向に貫通する対向壁部３１Ｉ、３１Ｉを有するガイド部３１と、図１に示すように該第二部材３とは別体をなす結束部４によって下側に配置された配線束５と共に結束される被結束部３００と、を備える。ガイド部３１の対向壁部３１Ｉ、３１Ｉは、その対向空間内に挿通されたスライド部２１を、スライド方向２ｘに往復スライド移動可能とする。
【００２０】
具体的にいえば、ガイド部３１は、図２〜図５に示すように、スライド部２１の突出方向に貫通する長孔３１Ｈを有する環状部であり、対応するスライド部２１がそれぞれ挿通される。長孔３１Ｈは、スライド方向２ｘに長く形成されており、その内部を挿通するスライド部２１をスライド方向２ｘに往復スライド移動可能にガイドするガイド孔である。
【００２１】
ここでのガイド部３１は、第二部材３に対し第一方向２ｚ１側で第一スライド部２１Ａを挿通させる第一ガイド部３１Ａと、第二方向２ｙ１側で第二スライド部２１Ｂを挿通させる第二ガイド部３１Ｂと、第三方向２ｙ２側で第三スライド部２１Ｃを挿通させる第三ガイド部３１Ｃと、第一方向２ｚ１とは逆の第四方向２ｚ２側で第四スライド部２１Ｄを挿通させる第四ガイド部３１Ｄを有する。
【００２２】
第二部材３には、図１１に示すように、それらガイド部３１Ａ〜３１Ｄに取り囲まれた内側空間３０Ｓを有する。この内側空間３０Ｓは、各ガイド部３１Ａ〜３１Ｄの長孔（以下、ガイド孔という）３１Ｈに対し連通する。この内側空間３０Ｓは、第一部材２の中心部２２を収容しており、各スライド部２１のスライド方向２ｘへの移動に伴う当該中心部２２の移動を許容する移動空間として機能する。
【００２３】
なお、ここでは第一方向２ｚ１が上方向、第二方向２ｙ１が上方向２ｚ１及びスライド方向２ｘに直交する左方向、第三方向２ｙ２が上方向２ｚ１及びスライド方向２ｘに直交し、第二方向２ｙ１とは逆方向となる右方向、第四方向２ｚ２が第一方向とは逆方向となる下方向である。以下では、第一スライド部２１Ａを上側スライド部２１Ａ、第二スライド部２１Ｂを左側スライド部２１Ｂ、第三スライド部２１Ｃを右側スライド部２１Ｃ、第四スライド部２１Ｄを下側スライド部２１Ｄと称し、また、第一ガイド部３１Ａを上側ガイド部３１Ａ、第二ガイド部３１Ｂを左側ガイド部３１Ｂ、第三ガイド部３１Ｃを右側ガイド部３１Ｃ、第四ガイド部３１を下側スライド部３１Ｄと称することとする。なお、符号２ｚは上下方向、符号２ｙは左右方向、符号２ｘは第一部材のスライド方向である前後方向を示すものとする。
【００２４】
本実施例の第一部材２について具体的に説明する。
【００２５】
第一部材２は、図６及び図１０に示すように、左右方向２ｙにおいて対向して位置し、上下方向２ｚに延出する対向壁部２０Ｂ、２０Ｃを有する。それら対向壁部２０Ｂ、２０Ｃは、そのスライド方向２ｘにおける長さがスライド可能区間２Ｘの長さ（後述するガイド孔３１Ｈのスライド方向２ｘの長さ：図２参照）よりも短くなるよう、スライド方向２ｘに延出形成されている。
【００２６】
図６〜図１０に示すように、中心部２２は、対向壁部２０Ｂ、２０Ｃの上下方向２ｚにおける中間部である。上側スライド部２１Ａは、対向壁部２０Ｂ、２０Ｃの上端部である。下側スライド部２１Ｄは、対向壁部２０Ｂ、２０Ｃの下端部である。左側スライド部２１Ｂは、対向壁部２０Ｂ、２０Ｃのうちの左側壁部２０Ｂの中間部（即ち、上記中心部２２）から左方向２ｙ１に突出する。右側スライド部２１Ｃは、対向壁部２０Ｂ、２０Ｃのうちの右側壁部２０Ｃの中間部（即ち、上記中心部２２）から右方向２ｙ２に突出する。なお、ここでの左側スライド部２１Ｂ及び右側スライド部２１Ｃは、それぞれスライド方向２ｘの両側に分断された形状をなす。
【００２７】
また、ここでの上側スライド部２１Ａは、図１９及び図２０に示すように、対向壁部２０Ｂ、２０Ｃの上端部に設けられた屈曲壁部２１Ａ１と連結部２１Ａ２とを有する。屈曲壁部２１Ａ１は、対向壁部２０Ｂ、２０Ｃの上側で上方に延出するとともにその先でそれら対向壁部２０Ｂ、２０Ｃの対向方向に接近するよう屈曲する壁部である。連結部２１Ａ２は、互いに対向方向に接近する屈曲壁部２１Ａ１の屈曲先端同士を連結する壁部である。ここでの連結部２１Ａ２は、図１２に示すように、対向壁部２０Ｂ、２０Ｃにおけるスライド方向２ｘの中間と両端側に設けられている。
【００２８】
なお、対向壁部２０Ｂ、２０Ｃには、図１８及び図１９に示すように、互いに接近する方向に突出する補強用リブ２０ｄが、上下方向２ｚに延出形成されている。ここでの補強用リブ２０ｄは、スライド方向２ｘにおいて連結部２１Ａ２が形成される位置に形成され、連結部２１Ａ２からも下方向２ｚ２に突出する形で形成されている。即ち、ここでの補強用リブ２０ｄは、対向壁部２０Ｂ、２０Ｃと連結部２１Ａ２とからなるＵ字状壁部の内周側に形成されている。
【００２９】
また、上側スライド部２１Ａは、図６に示すように、上側ガイド部３１Ａを貫通した先の先端部に、車体側に組み付けられる係合組付け部２００を有する。係合組付け部２００は、車体側に設けられた取付穴（図示なし）に対し挿通され、その挿通方向とは逆向きに抜け止めされた状態に組み付けられる周知の部位である。
【００３０】
ここでの係合組付け部２００は、対向壁部２０Ｂ、２０Ｃの上端部（即ち、上側スライド部２１Ａ）から上方に延出する軸部２０１と、軸部２０１の先端部（即ち、上端部）から、その基端側（即ち、下側）に向かうほど軸部２０１から離間するよう拡がる弾性係止片２０２を有する。具体的にいえば、軸部２０１は、図６に示すように、屈曲壁部２１Ａ１、２１Ａ１のスライド方向２ｘにおける中間部から上方に延出する。ここでの軸部２０１は、図１９に示すように、対向間に空隙を挟む屈曲壁部２１Ａ１、２１Ａ１からそれぞれ上方に延出する対向軸部２０１ａ、２０１ａと、それら対向軸部２０１ａ、２０１ａの上端で互いを連結する軸上端連結部２０１ｂと、を有する。弾性係止片２０２は、軸上端連結部２０１ｂから延出する形状をなしており、図１５に示すように、軸上端連結部２０１ｂ側を起点としてその先端側が、互いに対向する対向軸部２０１ａ、２０１ａの間の空隙に進入する形で窄む弾性変形が可能とされている。
【００３１】
係合組付け部２００を車体側の取付穴に取り付けるには、まずは、弾性係止片２０２を軸部２０１に接近するよう窄めた弾性変形状態とし、その状態で車体側の取付穴に挿通していく。そして、挿通した先で弾性係止片２０２を弾性復帰させる。この弾性復帰により、窄んだ状態で取付穴の裏側に回り込んだ弾性係止片２０２は外に拡がり、取付穴周辺に対し裏側から当接する抜け止め状態となる。これにより、係合組付け部２００は、取付穴に対し抜け止め状態で組み付けられる。
【００３２】
なお、係合組付け部２００は、車体側に組み付けられる部位であればよく、他の形状であってもよい。
【００３３】
また、図１５及び図１８に示すように、対向軸部２０１ａ、２０１ａのスライド方向２ｘにおける中間位置には、互いを連結する補強壁部２０１ｄが形成されている。この補強壁部２０１ｄは、上述した補強用リブ２０ｄ及び連結部２１Ａ２を含む一続きの壁部をなす。
【００３４】
本実施例の第二部材３について具体的に説明する。
【００３５】
第二部材３は、図１１に示すように、第一部材２のスライド方向２ｘの第一側及びその逆の第二側にそれぞれ設けられた四角形状の平板をなす両端部３１１、３１２と、それら両端部３１１、３１２の四方の角部同士をそれぞれ連結するようスライド方向２ｘに延出する柱部３１３、３１４、３１５、３１６と、を有した枠体をなす。各ガイド部３１は、それら柱部３１３、３１４、３１５、３１６のうち周方向において隣接する２つの柱部（即ち、対向壁部）を有しており、その対向間に、対応する第一部材２のスライド部２１が挿通される。ここでの各ガイド部３１は、それら柱部３１３、３１４、３１５、３１６のうち周方向において隣接する２つの柱部と、両端部３１１、３１２と、によって構成される四角形状の環状部である。
【００３６】
上側ガイド部３１Ａは、周方向において隣接する柱部３１３、３１４と、両端部３１１、３１２とにより形成される環状部である。上側スライド部２１Ａは、この上側ガイド部３１Ａのガイド孔３１Ｈに挿通される挿通部であり、そのガイド孔３１Ｈ内をスライド方向２ｘに移動可能である。
【００３７】
左側ガイド部３１Ｂは、周方向において隣接する柱部３１４、３１５と、両端部３１１、３１２とにより形成される環状部である。左側スライド部２１Ａは、この左側ガイド部３１Ｂのガイド孔３１Ｈに挿通される挿通部であり、そのガイド孔３１Ｈ内をスライド方向２ｘに移動可能である。
【００３８】
右側ガイド部３１Ｃは、周方向において隣接する柱部３１６、３１３と、両端部３１１、３１２とにより形成される環状部である。右側スライド部２１Ｃは、この右側ガイド部３１Ｃのガイド孔３１Ｈに挿通される挿通部であり、そのガイド孔３１Ｈ内をスライド方向２ｘに移動可能である。
【００３９】
下側ガイド部３１Ｄは、周方向において隣接する柱部３１５、３１６と、両端部３１１、３１２とにより形成される環状部である。下側スライド部２１Ｄは、この下側ガイド部３１Ｄのガイド孔３１Ｈに挿通される挿通部であり、そのガイド孔３１Ｈ内をスライド方向２ｘに移動可能である。
【００４０】
なお、各スライド部２１は、それぞれが挿通されるガイド部３１に対し、その上側と下側に隙間を介在させることができる。この場合、各スライド部２１は、挿通されるガイド部３１に対して非接触とされ、ガイド部３１に対しスライドしない形でスライド方向２ｘに移動可能である。ただし、このような非接触の移動は意図的に行わなければ起こりえない移動であり、各スライド部２１のガイド孔３１Ｈ内の移動は、基本的には、ガイド部３１に対し接する形での移動、即ちスライド移動となる。本発明におけるスライド移動には、ガイド部３１Ａ、３１Ｂ、３１Ｃ、３１Ｄに接する形での移動だけでなく、ガイド部３１Ａ、３１Ｂ、３１Ｃ、３１Ｄに対し、その上側と下側に隙間を介在させる非接触の移動も含まれるものとする。
【００４１】
第二部材３の被結束部３００は、図１に示すように、結束部４をなすビニールテープ等のテープ材（即ち、結束部材）によって配線束５と共に巻きつけられるよう、両端部３１１、３１２からそれらの対向方向とは逆向きに突出形成された板状袖部である。ここでの両端部３１１、３１２の対向方向は、配線束５の長手方向と一致しており、さらにいえば第一部材２のスライド方向２ｘと一致している。被結束部３００をなす板状袖部の先端部には、巻きつけられるテープ材４がスライド方向２ｘにずれて脱落することを防ぐためのリブ（即ち、テープ脱落防止リブ）３０１が設けられている。
【００４２】
配線束５は、１又は複数本の導線からなる導電性の芯線と、その芯線の外周を覆う絶縁性の被覆部とを備えた配線部材が束をなす、いわゆるワイヤーハーネスである。配線束５は、下側ガイド部３１Ｄの下面に当接する形で配置される。つまり、下側ガイド部３１Ｄが、配線当接部をなす。下側ガイド部３１Ｄの下面は、図２０〜図２２に示すように、この被結束部３００よりも下方に位置する。即ち、下側ガイド部３１Ｄを構成する両端部３１１、３１２は、被結束部３００よりも下方に延出し、同様に、下側ガイド部３１Ｄを構成する柱部３１５、３１６も、その下面が被結束部３００よりも下方に位置するように設けられている。これにより、被結束部３００の先端側を下方に撓ませる弾性変形を伴う形で、被結束部３００と配線束５とをテープ材４できつく結束することが可能になる。
【００４３】
また、下側ガイド部３１Ｄには、図１６及び図２２に示すように、その配線束５に対し食い込む形で接するよう、下方に突出形成された下端突出部３１ｄを有する。この食い込みにより、配線束５の位置ずれを防止することができる。また、下側ガイド部３１Ｄは、配線束５との当接面を、第二部材３よりも配線束５側に有する。これにより、第一部材２が配線束５に対して非接触の形でスライド可能となっている。
【００４４】
また、左側スライド部２１Ｂ及び右側スライド部２１Ｃは、図１３に示すように、左側ガイド部３１Ｂ及び右側ガイド部３１Ｃに挿通されるが、挿通された先に、左側ガイド部３１Ｂ及び右側ガイド部３１Ｃよりも外に出て外部に露出する目視用先端部２１ｂ、２１ｃを有する。これら目視用先端部２１ｂ、２１ｃは、スライド方向２ｘにおいて上記係合組付け部２００と同じ位置となるように設けられる。これにより、係合組付け部２００が車体側の取付部に対し組み付けられて見えない状態であっても、第二部材３に対し第一部材２の係合組付け部２００がどの位置にあるのかを、ガイド孔３１Ｈから外に出ている目視用先端部２１ｂ、２１ｃの位置を見て把握できる。ここでの左側スライド部２１Ｂ及び右側スライド部２１Ｃは、スライド方向２ｘにおける中間部に空隙を設ける形で、スライド方向２ｘの第一側とその逆の第二側との双方に分断形成されており、目視用先端部２１ｂ、２１ｃは、分断された左側スライド部２１Ｂ及び右側スライド部２１Ｃの対向側に、上記空隙を挟む形で形成されている。これにより、スライド方向２ｘにおいてそれら目視用先端部２１ｂ、２１ｂ、２１ｃ、２１ｃに挟まれた空隙の位置に、係合組付け部２００が存在することがわかる。
【００４５】
なお、目視用先端部２１ｂ、２１ｃは、左側スライド部２１Ｂ及び右側スライド部２１Ｃの双方に設けられているが、それらのうちの一方にのみ設けられてもよい。
【００４６】
ところで、スライド部２１を有する第一部材２には、ガタ抑制用突出部２３が設けられる。
【００４７】
ガタ抑制用突出部２３は、図２、図４、図５に示すように、第一部材２の各スライド部２１から、ガイド部３１の対向壁部３１Ｉをなす第二部材３の柱部３１３、３１４、３１５、３１６のうち対応するガイド部３１を構成する柱部に向かって突出形成される。これにより、各スライド部２１は、柱部３１３、３１４、３１５、３１６のうち自身が挿通されるガイド部３１をなす柱部との間の隙間幅を減じている。スライド部２１のガタつきは、この隙間が原因で生じるから、この隙間が小さくなることで、ガタつきを軽減できる。なお、ガタ抑制用突出部２３は、少なくとも対応するスライド部２１におけるスライド方向２ｘの両端部に設けられる。ここでのガタ抑制用突出部２３は、対応するガイド部３１Ａ、３１Ｂ、３１Ｃ、３１Ｄのガイド孔３１Ｈの貫通方向に延出形成されたガタ抑制リブ２３Ａ、２３Ｂ、２３Ｃ、２３Ｄである。各ガタ抑制用突出部２３Ａ、２３Ｂ、２３Ｃ、２３Ｄは、リブ形状をなすことで、突出形成される各スライド部２１を補強する役割も果たす。
【００４８】
なお、スライド機構組込み式部品１は、スライド方向２ｘにおいてその両側が対称となる形状を有し、また、左右方向２ｙにおいてその両側が対象となる形状を有する。このため、図２及び図７は、それぞれスライド機構組込み式部品１と第一部材２の左側面図を示しているが、反対側の右側面図においては同様に表れるため図示を省略している。例えば、右側スライド部２１Ｃ及び右側ガイド部３１Ｃは、図２及び図７に図示されている左側スライド部２１Ｂ及び左側ガイド部３１Ｂと同形状をなしており、その図示が省略されている。
【００４９】
ガタ抑制リブ２３Ａ、２３Ｄは、図６〜図１０に示すように、上側スライド部２１Ａ及び下側スライド部２１Ｄに設けられる。具体的にいえば、ガタ抑制リブ２３Ａは、対向する対向壁部２０Ｂ、２０Ｃの上端部（即ち、上側スライド部）２１Ａにおける対向方向２ｙの外側となる面上に、上下方向２ｚに延出形成された直線状リブである。また、ガタ抑制リブ２３Ａは、対向壁部２０Ｂ、２０Ｃにおけるスライド方向２ｘの両端部に形成されている。同様に、ガタ抑制リブ２３Ｄは、対向する対向壁部２０Ｂ、２０Ｃの下端部（即ち、下側スライド部）２１Ｄにおける対向方向２ｙの外側となる面上に、上下方向２ｚに延出形成された直線状リブである。ガタ抑制リブ２３Ｄも、対向壁部２０Ｂ、２０Ｃにおけるスライド方向２ｘの両端部に形成されている。
【００５０】
なお、ここでのガタ抑制リブ２３Ａは、図７及び図８に示すように、上下方向２ｚにおいて、対向壁部２０Ｂ、２０Ｃの中心部２２側（即ち、左側スライド部２１Ｂ及び右側スライド部２１Ｃの突出基端側）に偏って形成され、上端側が非形成となっている。他方、ガタ抑制リブ２３Ｄは、上下方向２ｚにおいて、中心部２２側から下端まで形成されている。
【００５１】
ガタ抑制リブ２３Ｂ、２３Ｃは、図９及び図１０に示すように、左側スライド部２１Ｂ及び右側スライド部２１Ｃに設けられる。具体的にいえば、ガタ抑制リブ２３Ｂ、２３Ｃは、左側スライド部２１Ｂ及び右側スライド部２１Ｃの上面上及び下面上に、その左右方向２ｙに延出形成された直線状リブである。また、ガタ抑制リブ２３Ｂ、２３Ｃは、左側スライド部２１Ｂ及び右側スライド部２１Ｃにおいて、スライド方向２ｘの両端部にそれぞれ形成されている。さらにいえば、ここでの左側スライド部２１Ｂ及び右側スライド部２１Ｃは、スライド方向２ｘにおける第一側と第二側に分断形成されており、ガタ抑制リブ２３Ｂ、２３Ｃは、分断された双方のスライド方向２ｘの両端部に設けられている。つまり、左側スライド部２１Ｂ及び右側スライド部２１Ｃには、その上面と下面とにそれぞれ４つ、合計８つのガタ抑制リブ２３Ｂ、２３Ｃが設けられている。
【００５２】
なお、それら８つのガタ抑制リブ２３Ｂ、２３Ｃのうち、スライド方向２ｘにおける外側のリブ２３Ｂ、２３Ｃは、図８に示すように、対向壁部２０Ｂ、２０Ｃに形成されたガタ抑制リブ２３Ａ、２３Ｄに対し接続しており、全体がＬ字状のリブをなす。他方、それら８つのガタ抑制リブ２３Ｂ、２３Ｃのうち、スライド方向２ｘにおける内側のリブ２３Ｂ、２３Ｃは、図９及び図１０に示すように、対向壁部２０Ｂ、２０Ｃに対し接続する形で形成される一方で、対向壁部２０Ｂ、２０Ｃとは逆側に向かって突出する目視用先端部２１ｂ、２１ｃにおいては非形成とされている。
【００５３】
次に、上記した第一部材２と第二部材３とが、分離不能でかつスライド可能とされたスライド機構組込み式部品１の製造方法について説明する。
【００５４】
スライド機構組込み式部品１は、第一部材２と第二部材３との２部品を有するが、それぞれが別の金型で成形されるのではなく、１つの金型１００によって同時に成形される。
【００５５】
金型１００は、図２４〜図３３に示すように、その内部に、スライド部２１を有した第一部材２を成形する第一部材成形空間１２０と、第一部材２が予め定められた上記スライド方向２ｘにスライド可能となるようスライド部２１をガイドするガイド部３１を有した第二部材３を成形する第二部材成形空間１３０と、を互いが非連通となる形で有する。そして、それら第一部材成形空間１２０及び第二部材成形空間１３０に対しそれぞれ樹脂射出を行い、双方を冷却固化して型開きすることにより、スライド部２１がガイド部３１からガイドを受けるガイド状態にあり、なおかつそのガイド状態が保持される組み付け状態にある第一部材２と第二部材３とが成形される。
【００５６】
なお、ゲートについては、第一部材成形空間１２０及び第二部材成形空間１３０のそれぞれに適した位置に設ければよく、ここでは図示を省略している。
【００５７】
金型１００は、図１２に示す複数の金型部１０１が型締めされる形で構成される。それら複数の金型部１０１は、型締め状態において、スライド機構組込み式部品１におけるガイド部３１のガイド孔３１Ｈと、そのガイド孔３１Ｈの内側に挿通された状態のスライド部２１と、を成形する突出部１０１Ｔを有したスライド機構成形用の金型部（即ち、スライド機構成形型部）１０１を含む。成形後、各金型部１０１は、それぞれが挿通されていたガイド孔３１Ｈへの挿通方向（別の言い方をすれば、突出部１０１Ｔの突出方向）とは逆向きに型抜きされる。
【００５８】
各金型部１０１は、図２３に示すように、基端部１０１Ｒと、基端部１０１Ｒから自身の型抜き方向とは逆向きに突出する突出部１０１Ｔと、を有する。なお、基端部１０１Ｒは、型締め状態の金型部１０１において、第二部材３の各ガイド部３１を成形する環状のガイド部成形空間１３０Ｇの内周側に進入しない部分である。
【００５９】
各突出部１０１Ｔは、金型１００の内部に向かって突出するとともに、対応する環状のガイド部成形空間１３０Ｇの内周側に挿通され、その先で他の金型部１０１と対向し、その対向間に内部空間１２０Ｑ（図２５、図２８、図３０〜図３３参照）を形成する。また、各突出部１０１Ｔは、その先端面１０１ｔに、型抜き方向に凹む凹部１０１Ｓを有する。内部空間１２０Ｑは、これら凹部１０１Ｓ内の空間１２０Ｐと連通している。これら凹部１０１Ｓ内の空間１２０Ｐは、第一部材２のスライド部２１を成形するスライド部成形空間１２０Ｐである。内部空間１２０Ｑと、これらスライド部成形空間１２０Ｐとによって、第一部材成形空間１２０が形成されている。
【００６０】
また、各金型部１０１の突出部１０１Ｔは、対応する環状のガイド部成形空間１３０Ｇの内周側を通過した先で他の金型部１０１の突出部１０１Ｔと当接する当接部１０１Ｐ（図２５、図２７、図２８、図３０〜図３４参照）を有する。各当接部１０１Ｐは、図２４、図２６、図２９に示すように、環状をなすガイド部成形空間１３０Ｇと第一部材成形空間１２０とが非連通となるように仕切る仕切壁部をなす。仕切壁部をなすこれら当接部１０１Ｐにより、第一部材成形空間１２０と、各ガイド部成形空間１３０Ｇを含む第二部材成形空間１３０とが互いに非連通に形成されている。
【００６１】
以下、各金型部１０１の構造を詳細に説明する。
【００６２】
ここでの金型部１０１は４つ存在する。即ち、金型部１０１は、図２３に示すように、上方向２ｚ１に型抜きされる金型上部（第一金型部）１０１Ａと、左方向２ｙ１に型抜きされる金型左部（第二金型部）１０１Ｂと、右方向２ｙ２に型抜きされる金型右部（第三金型部）１０１Ｃと、下方向２ｚ２に型抜きされる金型下部（第四金型部）１０１Ｄと、を有する。
【００６３】
金型上部１０１Ａは、図２３に示すように、基端部１０１Ｒと、その基端部１０１Ｒから下方向２ｚ２に突出し、環状をなす上側ガイド部３１Ａの成形空間１３０Ｇ（図２４参照）の内周側に挿通される突出部１０１Ｔと、を有する。金型上部１０１Ａの突出部１０１Ｔは、その先端面１０１ｔから上方向２ｚ１に凹む凹部１０１Ｓを有する。金型上部１０１Ａの基端部１０１Ｒは、その突出部１０１Ｔの外周周りを取り囲む形で上方向２ｚ１に凹む環状溝部１０１Ｖと、その環状溝部１０１Ｖの外周側を取り囲む外周壁部１０１Ｑと、外周壁部１０１Ｑにおける左右側の対向壁部において上方向２ｚ１に凹む凹部１０１Ｇ、１０１Ｇと、外周壁部１０１Ｑのスライド方向２ｘの両側の対向面からそれぞれスライド方向２ｘの外向きに凹む凹部１０１Ｅ、１０１Ｅと、外周壁部１０１Ｑのスライド方向２ｘの両側の下面１０１ｑにおいて上方向２ｚ１に凹み、外周壁部１０１Ｑのスライド方向２ｘの両側の対向面（具体的にいえば凹部１０１Ｅ、１０１Ｅの底面）からスライド方向２ｘの外向きに形成される凹部１０１Ｆ、１０１Ｆと、を有する。
【００６４】
金型下部１０１Ｄは、図２３に示すように、基端部１０１Ｒと、その基端部１０１Ｒから上方向２ｚ１に突出し、環状をなす下側ガイド部３１Ｄの成形空間１３０Ｇ（図２６参照）の内周側に挿通される突出部１０１Ｔと、を有する。金型下部１０１Ｄの突出部１０１Ｔは、その先端面１０１ｔから下方向２ｚ２に凹む凹部１０１Ｓを有する。金型下部１０１Ｄの基端部１０１Ｒは、その突出部１０１Ｔの外周周りを取り囲む形で下方向２ｚ２に凹む環状溝部１０１Ｖと、その環状溝部１０１Ｖの外周側を取り囲む外周壁部１０１Ｑと、外周壁部１０１Ｑにおける左右側の対向壁部において下方向２ｚ２に凹む凹部１０１Ｇ、１０１Ｇと、外周壁部１０１Ｑのスライド方向２ｘの両側の対向面からそれぞれスライド方向２ｘの外向きに凹む凹部１０１Ｅ、１０１Ｅと、外周壁部１０１Ｑのスライド方向２ｘの両側の上面１０１ｑにおいて下方向２ｚ２に凹み、外周壁部１０１Ｑのスライド方向２ｘの両側の対向面（具体的にいえば凹部１０１Ｅ、１０１Ｅの底面）からスライド方向２ｘの外向きに形成される凹部１０１Ｆ、１０１Ｆと、を有する。また、金型下部１０１Ｄの突出部１０１Ｔは、凹部１０１Ｓを取り囲む環状壁部として形成されるとともに、その環状壁部のスライド方向２ｘの両側には、上方向２ｚ１にさらに突出する両側壁部１０１ＴＹを有する。また、金型下部１０１Ｄの凹部１０１Ｓは、環状に形成される。金型下部１０１Ｄは、その環状の凹部１０１Ｓの内周側に、上方向２ｚ１に突出する中央壁部１０１ＴＺを有する。
【００６５】
金型右部１０１Ｃは、図２３に示すように、基端部１０１Ｒと、その基端部１０１Ｒから左方向２ｙ１に突出し、環状をなす右側ガイド部３１Ｃの成形空間１３０Ｇ（図２９参照）の内周側に挿通される突出部１０１Ｔと、を有する。金型右部１０１Ｃの突出部１０１Ｔは、その先端面１０１ｔから右方向２ｙ２に凹む凹部１０１Ｓを有する。ここでの右側スライド部２１Ｃは、スライド方向２ｘにおいて両側に分断された形状をなすため、上記凹部１０１Ｓは、スライド方向２ｘに２つ並んで形成される。金型右部１０１Ｃの基端部１０１Ｒは、金型右部１０１Ｃの突出部１０１Ｔの基端側で外向きに拡がる環状の段差面１０１ｒを有する。
【００６６】
金型左部１０１Ｂは、図２３に示すように、金型右部１０１Ｃと同様の形状を有する。即ち、金型左部１０１Ｂは、基端部１０１Ｒと、その基端部１０１Ｒから右方向２ｙ２に突出し、環状をなす左側ガイド部３１Ｂの成形空間１３０Ｇ（図示は無いが図２９の符号１３０Ｇと同様に現れる）の内周側に挿通される突出部１０１Ｔと、を有する。金型左部１０１Ｂの突出部１０１Ｔは、その先端面１０１ｔから左方向２ｙ１に凹む凹部１０１Ｓを有する。左側スライド部２１Ｂも、スライド方向２ｘにおいて両側に分断された形状をなすため、上記凹部１０１Ｓはスライド方向２ｘに２つ並んで形成される。金型左部１０１Ｂの基端部１０１Ｒは、金型左部１０１Ｂの突出部１０１Ｔの基端側で外向きに拡がる環状の段差面１０１ｒを有する。
【００６７】
これら４つの金型部１０１が型締めされた金型１００は、以下のような構造を有する。
【００６８】
金型１００は、金型上部１０１Ａと金型下部１０１Ｄとの双方の基端部１０１Ｒを、上下方向２ｚにおいて当接させている。具体的にいえば、金型上部１０１Ａと金型下部１０１Ｄは、それら双方の外周壁部１０１Ｑのうちスライド方向２ｘにおける両側の壁部を、上下方向２ｚにおいて当接させている。また、金型上部１０１Ａと金型下部１０１Ｄとは、それら双方の外周壁部１０１Ｑの左右側において、凹部１０１Ｇ、１０１Ｇを上下方向２ｚに対向させている。金型左部１０１Ｂと金型右部１０１Ｃとは、図３０に示すように、上下方向２ｚに対向する凹部１０１Ｇ、１０１Ｇの対向間に、それぞれの基端部１０１Ｒを嵌合配置されている。
【００６９】
各金型部１０１Ａ、１０１Ｂ、１０１Ｃ、１０１Ｄにより、金型１００の内部には、第一部材２の成形空間１２０と、第二部材３の成形空間１３０と、が互いに非連通に形成されている。
【００７０】
第一部材２の成形空間（即ち、第一部材成形空間）１２０は、各金型部１０１Ａ、１０１Ｂ、１０１Ｃ、１０１Ｄの突出部１０１Ｔ及び凹部１０１Ｓによって取り囲まれる空間である。具体的にいえば、第一部材成形空間１２０は、それら各突出部１０１Ｔと他の金型部１０１Ａ、１０１Ｂ、１０１Ｃ、１０１Ｄとの対向間に形成される内部空間１２０Ｑと、それら突出部１０１Ｔの先端面１０１ｔから凹む凹部１０１Ｓの内部空間１２０Ｐと、が連通した空間である。
【００７１】
第二部材３の成形空間（即ち、第二部材成形空間）１３０は、各柱部３１３、３１４、３１５、３１６の成形空間１３３、１３４、１３５、１３６と、それらの両端部３１１、３１２の成形空間１３１、１３２と、被結束部３００の成形空間１３０Ｋと、を有する。
【００７２】
第二部材３の柱部３１３、３１４の成形空間（即ち、柱部成形空間）について説明する。金型上部１０１Ａにおいて、環状溝部１０１Ｖのうち左右方向２ｙの両側の直線状溝部１０１ＶＸは、図２４に示すように、スライド方向２ｘに延びる。この直線状溝部１０１ＶＸは、図３０〜図３４に示すように、金型左部１０１Ｂと金型右部１０１Ｃとの双方の突出部１０１Ｔの上面（段差面１０１ｒを含む）に対し上下方向２ｚにおいて対向し、それらの対向間に、スライド方向２ｘに延びる柱状空間１３３、１３４を形成している。この柱状空間１３３、１３４が、対向壁部３１Ｉをなす柱部３１３、３１４の成形空間（即ち、対向壁部成形空間）である。
【００７３】
なお、ここでの金型上部１０１Ａの突出部１０１Ｔは、図２４に示すように、その先端面１０１ｔの凹部１０１Ｓを取り囲む環状壁部をなす。その環状壁部をなす突出部１０１Ｔは、図３０〜図３４に示すように、その左右方向２ｙの両側に、壁部１０１ＴＬ、１０１ＴＭ、１０１ＴＬからなる一続きの壁部１０１Ｐを有する。この壁部１０１Ｐは、金型上部１０１Ａにおける凹部１０１Ｓと直線状溝部１０１ＶＸとを隔てる仕切壁部である。これらの仕切壁部１０１Ｐ、１０１Ｐは、金型左部１０１Ｂと金型右部１０１Ｃとの双方の突出部１０１Ｔの上面に対し当接している。仕切壁部１０１Ｐの当接により、図３１〜図３３に示すように、柱状空間１３３、１３４は、内部空間１２０Ｑと、金型上部１０１Ａの凹部１０１Ｓ内の空間１２０Ｐと、金型左部１０１Ｂ及び金型右部１０１Ｃの凹部１０１Ｓ内の空間１２０Ｐと、に対して非連通に隔てられている。
【００７４】
第二部材３の柱部３１５、３１６の成形空間（即ち、柱部成形空間）について説明する。金型下部１０１Ｄにおいて、環状溝部１０１Ｖのうち左右方向２ｙの両側の直線状溝部１０１ＶＸは、図２６に示すように、スライド方向２ｘに延びる。この直線状溝部１０１ＶＸは、図３０〜図３４に示すように、金型左部１０１Ｂと金型右部１０１Ｃとの双方の突出部１０１Ｔの下面（段差面１０１ｒを含む）に対し上下方向２ｚにおいて対向し、それらの対向間に、柱状空間１３５、１３６を形成している。この柱状空間１３５、１３６が、対向壁部３１Ｉをなす柱部３１５、３１６の成形空間（即ち、対向壁部成形空間）である。
【００７５】
なお、ここでの金型下部１０１Ｄの突出部１０１Ｔは、図２６に示すように、その先端面１０１ｔの凹部１０１Ｓを取り囲む環状壁部をなす。その環状壁部をなす突出部１０１Ｔは、図３０〜図３４に示すように、その左右方向２ｙの両側に、壁部１０１ＴＬ、１０１ＴＭ、１０１ＴＬからなる一続きの壁部１０１Ｐを有する。この壁部１０１Ｐは、金型左部１０１Ｂと金型右部１０１Ｃとの双方の突出部１０１Ｔの下面に対し当接している。これら仕切壁部１０１Ｐの当接により、図３１〜図３３に示すように、柱状空間１３５、１３６は、内部空間１２０Ｑと、金型下部１０１Ｄの凹部１０１Ｓ内の空間１２０Ｐと、金型左部１０１Ｂ及び金型右部１０１Ｃの凹部１０１Ｓ内の空間１２０Ｐと、に対して非連通に隔てられている。
【００７６】
第二部材３の両端部３１１、３１２の成形空間（即ち、両端部成形空間）１３１、１３２について説明する。金型上部１０１Ａと金型下部１０１Ｄとにおいて、スライド方向２ｘの両側に位置する凹部１０１Ｆ、１０１Ｆは、図２７〜図２９に示すように、上下方向２ｚに続く一続きの凹部１０１ＦＦとなる。一方で、金型１００は、これら凹部１０１ＦＦに対し、スライド方向２ｘにおいて対向する対向壁部１０１ＦＴを有する。対向壁部１０１ＦＴは、金型下部１０１Ｄの突出部１０１Ｔ（具体的には両側壁部１０１ＴＹ）と、金型上部１０１Ａの突出部１０１Ｔとが、上下方向２ｚにおいて当接するとともに、それらに対しさらにその左右側に、図２５に示すように、金型左部１０１Ｂの突出部１０１Ｔと、金型右部１０１Ｃとの突出部１０１Ｔとが当接することにより形成されている。これら凹部１０１ＦＦと、対向壁部１０１ＦＴとの対向間が、第二部材３の両端部３１１、３１２の成形空間１３１、１３２である。対向壁部１０１ＦＴは、内部空間１２０Ｑと成形空間１３１、１３２とを非連通に隔てる仕切壁部１０１Ｐとなっている。
【００７７】
第二部材３の両端部３１１、３１２の成形空間１３１、１３２は、図２９に示すように、金型上部１０１Ａと金型下部１０１Ｄとの双方の環状溝部１０１Ｖ、１０１Ｖのうちスライド方向２ｘの両側で左右方向２ｙに延びるそれぞれの直線状溝部１０１ＶＹに挟まれた空間ともいえる。両端部３１１、３１２の成形空間１３１、１３２は、上側の左右で柱状空間１３４、１３３と連通し（図２４参照）、下側の左右で柱状空間１３５、１３６と連通する（図２６参照）。
【００７８】
また、図２７及び図２８に示すように、金型上部１０１Ａと金型下部１０１Ｄとにおいて、それら双方の凹部１０１Ｅの対向間には、第二部材３の被結束部３００の成形空間（即ち、被結束部成形空間）１３０Ｋが形成されている。凹部１０１ＦＦは、被結束部３００の成形空間１３０Ｋに連通する開口を有する。
【００７９】
このように、各ガイド部３１の成形空間１３０Ｇは以下のように形成されている。即ち、上側ガイド部３１Ａの成形空間１３０Ｇ（図２４参照）は、成形空間１３１、１３２の上側と柱状空間１３３、１３４とによって環状に形成されている。下側ガイド部３１Ｄの成形空間１３０Ｇ（図２６参照）は、成形空間１３１、１３２の下端側空間と、柱状空間１３５、１３６とによって環状に形成されている。右側ガイド部３１Ｃの成形空間１３０Ｇ（図２９参照）は、成形空間１３１、１３２の上端側空間と、柱状空間１３３、１３６とによって環状に形成されている。左側ガイド部３１Ｂの成形空間１３０Ｇ（図示は無いが図２９と同様）は、成形空間１３１、１３２の左端側空間と、柱状空間１３４、１３５とによって環状に形成されている。
【００８０】
これに対し、各金型部１０１Ａ、１０１Ｂ、１０１Ｃ、１０１Ｄの突出部１０１Ｔは、それらガイド部３１Ａ、３１Ｂ、３１Ｃ、３１Ｄを形成する環状に成形空間１３０Ｇの内周側に挿通されて、それらガイド部３１Ａ、３１Ｂ、３１Ｃ、３１Ｄのガイド孔３１Ｈを成形する。さらに、各突出部１０１Ｔは、それらガイド部３１Ａ、３１Ｂ、３１Ｃ、３１Ｄを形成する環状の成形空間１３０Ｇの内周側に挿通された先で、他の金型部１０１Ａ、１０１Ｂ、１０１Ｃ、１０１Ｄと当接している。そして、当接した各金型部１０１Ａ、１０１Ｂ、１０１Ｃ、１０１Ｄの内部には、それら突出部１０１Ｔによって取り囲まれる内部空間１２０Ｑが形成されている。
【００８１】
また、各金型部１０１Ａ、１０１Ｂ、１０１Ｃ、１０１Ｄの突出部１０１Ｔは、凹部１０１Ｓを取り囲む環状壁部として形成されている。環状壁部をなす各突出部１０１Ｔが互いに当接することにより、内部空間１２０Ｑは、それら突出部１０１Ｔの凹部１０１Ｓ内の空間１２０Ｐと連通している。それらの連通空間１２０Ｑ、１２０Ｐによって、第一部材成形空間１２０が形成されている。一方で、既に述べた各箇所の当接部１０１Ｐは、各突出部１０１Ｔの凹部１０１Ｓと連通する内部空間１２０Ｑと、各突出部１０１Ｔの外側の第二部材成形空間１３０とを非連通に隔てる仕切壁部として機能する。
【００８２】
なお、各金型部１０１Ａ、１０１Ｂ、１０１Ｃ、１０１Ｄの凹部１０１Ｓ内の空間１２０Ｐが、第一部材２におけるスライド部２１Ａ、２１Ｂ、２１Ｃ、２１Ｄの成形空間（即ち、スライド部成形空間）である。また、内部空間１２０Ｑは、第一部材２における対向壁部２０Ｂ、２０Ｃにおける中間部（即ち、上述の中心部２２）の成形空間である。
【００８３】
また、金型上部１０１Ａの凹部１０１Ｓは、図２７及び図３０〜図３２に示すように、他の金型部１０１Ｂ、１０１Ｃ、１０１Ｄの凹部１０１Ｓよりも深く形成され、突出部１０１Ｔを越えた先の基端部１０１Ｒの内部にまで到達する凹部となっている。具体的にいえば、金型上部１０１Ａの凹部１０１Ｓ内の空間１２０Ｐは、突出部１０１Ｔ内の空間（即ち、上側ガイド部３１Ａの成形空間１３０Ｇ）のさらに奥（即ち、上方向２ｚ１）に続く空間１２０ＰＫ（図２３参照）を有している。この空間１２０ＰＫは、第一部材２における係合組付け部２００の成形空間１２０Ｋを形成するための空間である。この空間１２０ＰＫには、金型下部１０１Ｄの中央壁部１０１ＴＺが挿通されている。この中央壁部１０１ＴＺは、上側スライド部２１Ａの凹部１０１Ｓに対し、下側から上方向２ｚ１へ向けて挿通され、その先でスライド部２１Ａの基端部１０１Ｒ内に形成される空間１２０ＰＫ内まで達している。そして、空間１２０ＰＫの内壁面と、この中央壁部１０１ＴＺとの対向間に、係合組付け部２００の成形空間（即ち、係合組付け部成形空間）１２０Ｋを形成している。中央壁部１０１ＴＺが存在することにより、係合組付け部２００は、内部が空洞化される形で成形される。
【００８４】
なお、図２３に示すように、金型下部１０１Ｄは、中央壁部１０１ＴＺと、その両側の両側壁部１０１ＴＹとの間に下方に凹む溝部１０１ＳＹが形成されている。また、中央壁部１０１ＴＺは、スライド方向２ｘに分断されており、それらの間にも下方に凹む溝部１０１ＳＹが形成されている。これらの溝部１０１ＳＹは、図２５や図２７に示すように、金型上部１０１Ａの凹部１０１Ｓと上下方向２ｚにおいて対向し、その対向間に補強用リブ２０ｄ及び補強壁部２０１ｄの成形空間１２０ｄを形成している。
【００８５】
また、図２５及び図３１に示すように、金型左部１０１Ｂと金型右部１０１Ｃの凹部１０１Ｓは、ガイド部３１Ｂ、３１Ｃの成形空間１３０Ｇを越えた先で、基端部１０１Ｒの内部にまで到達する内部空間１２０Ｐを有する。金型左部１０１Ｂと金型右部１０１Ｃの凹部１０１Ｓ内において、基端部１０１Ｒの内部に形成された奥側空間１２０ｐは、第一部材２における目視用先端部２１ｂ、２１ｃの成形空間である。
【００８６】
ところで、各金型部１０１Ａ、１０１Ｂ、１０１Ｃ、１０１Ｄの突出部１０１Ｔは、各スライド部２１Ａ、２１Ｂ、２１Ｃ、２１Ｄの成形空間１２０Ｐを取り囲む環状壁部であり、それら環状壁部は、ガイド部３１Ａ、３１Ｂ、３１Ｃ、３１Ｄの成形空間１３０Ｇと、スライド部２１Ａ、２１Ｂ、２１Ｃ、２１Ｄの成形空間１２０Ｐとの間を仕切る仕切壁部１０１Ｐをなす。そして、これら仕切壁部１０１Ｐには、ガタ抑制用突出部２３Ａ、２３Ｂ、２３Ｃ、２３Ｄを成形する凹部（即ち、ガタ抑制用突出部成形用凹部）１２０Ｌが形成される。
【００８７】
左側スライド部２１Ｂ及び右側スライド部２１Ｃの凹部１０１Ｓは、図２９に示すように、その上側の内壁面において上方向２ｚ１に凹み、かつ内部空間１２０Ｑに向かって左右方向２ｙに延出する溝部１２０Ｌを有する。また、左側スライド部２１Ｂ及び右側スライド部２１Ｃの凹部１０１Ｓは、図２９に示すように、その下側の内壁面において下方向２ｚ２に凹み、かつ図３１及び図３３に示すように、内部空間１２０Ｑに向かって左右方向２ｙに延出する溝部１２０Ｌを有する。これらの溝部１２０Ｌが、左側スライド部２１Ｂ及び右側スライド部２１Ｃの上面及び下面のガタ抑制リブ２３Ｂ、２３Ｃを成形する凹部であり、内側空間１２０Ｑに接続している。
【００８８】
なお、ここでの左側スライド部２１Ｂ及び右側スライド部２１Ｃの凹部１０１Ｓは、図２９に示すように、スライド方向２ｘにおいて２つ並んで形成されており、上記溝部１２０Ｌは、ここではそれら２つ並んだ凹部１０１Ｓの上側内壁面と下側内壁面におけるスライド方向２ｘの両端に、それぞれ上記溝部１２０Ｌが形成されている。
【００８９】
上側スライド部２１Ａ及び下側スライド部２１Ｄの凹部１０１Ｓは、図２４及び図２６に示すように、その左側の内壁面において左方向２ｙ１に凹み、かつ図３３に示すように、内部空間１２０Ｑに向かって上下方向２ｚに延出する溝部１２０Ｌを有する。また、上側スライド部２１Ａ及び下側スライド部２１Ｄの凹部１０１Ｓは、その右側の内壁面において右方向２ｙ２に凹み、かつ内部空間１２０Ｑに向かって上下方向２ｚに延出する溝部１２０Ｌを有する。これらの溝部１２０Ｌは、上側スライド部２１Ａ及び下側スライド部２１Ｄの左面及び右面のガタ抑制リブ２３Ａ、２３Ｄを成形する凹部であり、内側空間１２０Ｑに接続している。
【００９０】
また、各スライド部２１Ａ、２１Ｂ、２１Ｃ、２１Ｄの突出部１０１Ｔは、図２４と図２６と図２９に示すように、スライド方向２ｘにおいて、溝部１２０Ｌが形成される凹区間を薄肉部１０１ＴＬとし、残余区間をその薄肉部１０１ＴＬよりも厚みのある厚肉部１０１ＴＭとして有する。
【００９１】
以上、本発明の第一実施例を説明したが、これはあくまでも例示にすぎず、本発明はこれに限定されるものではなく、特許請求の範囲の趣旨を逸脱しない限りにおいて、当業者の知識に基づいて、追加及び省略等の種々の変更が可能である。
【００９２】
以下、上記第一実施例とは異なる別の実施例や変形例について説明する。なお、上記実施例と共通の機能を有する部位には同一符号を付して詳細な説明を省略する。また、上記実施例と下記変形例とは、技術的な矛盾を生じない範囲において適宜組み合わせて実施できる。
【００９３】
上記した第一実施例のスライド機構組込み式部品１には、所定機能部として係合組付け部２００が設けられているが、所定機能部は、第一部材２と第二部材３とのいずれに設けられていてもよい。また、所定機能部は、他の機能を有するものであってもよく、例えば係合組付け部２００に代わる所定機能部として、所定の相手コネクタに対し接続可能なコネクタ部５００を設けてもよい。これにより、スライド機構組込み式部品１はコネクタ部品となる。
【００９４】
上記した第一実施例では、結束部４がスライド機構組込み式部品１とは別体に設けられているが、スライド機構組込み式部品１と一体に設けられていてもよい。例えば、第一部材２及び第二部材３のうち被結束部が設けられる方が、ベルト部等の結束部を一体に有した構成とすることができる。
【００９５】
以下、コネクタ部５００が設けられた第二実施例のスライド機構組込み式部品１について説明する。
【００９６】
図３５〜図４０に示すように、第二実施例のスライド機構組込み式部品１では、下側の第一部材２がスライド部２１を有する。上側の第二部材３は、下側の第一部材２が予め定められたスライド方向２ｘにスライド可能となるようそのスライド部２１をガイドするガイド部３１を有する。第一部材２は、図３５に示すように、その下端部に設けられた被結束部４００の直下に配線束（即ち、ワイヤーハーネス）５が配置され、その配線束５は、その被結束部４００と共に、該第一部材２とは別体をなす結束部（ここではテープ材等）４によって結束されて保持される。他方、第二部材３には、ガイド部３１よりも上方に突出するコネクタ部５００を有したコネクタ部材である。なお、第一部材２の被結束部４００が配線束５と共に結束保持された状態においては、その第一部材２に対して第二部材３がスライド移動可能になる。
【００９７】
以下、図３５のスライド機構組込み式部品１について詳細に説明する。
【００９８】
第一部材２は、図４１〜図４５に示すように、スライド方向２ｘに対し直交する左右方向２ｙ１、２ｙ２へと突出する左側スライド部（即ち、第二スライド部）２１Ｂ及び右側スライド部（即ち、第三スライド部）２１Ｃと、それらスライド部２１を基端側で連結する中心部２２と、を有する。また、第一部材２は、中心部２２からスライド方向２ｘに対し直交する下方向２ｚ２へと突出する下側スライド部（即ち、第一スライド部）２１Ｄを有し、その下側スライド部２１Ｄの下端側に被結束部４００を有する。
【００９９】
具体的にいえば、第一部材２は、図４３に示すように、上下方向に延出する中央壁部２０Ａを有する。中央壁部２０Ａは、スライド方向２ｘにおける長さがスライド可能区間２Ｘ（後述するガイド孔３１Ｈのスライド方向２ｘの長さ：図３７参照）の長さよりも短くなるよう、スライド方向２ｘに延出形成されている。
【０１００】
中央壁部２０Ａは、図４３に示すように、上下方向２ｚにおける上端部に、中心部２２及び左右側のスライド部２１Ｂ、２１Ｃと、を有する。ここでの中央壁部２０Ａは、上端部が左右方向２ｙにＴ字状に広がる上端部２２を有する。左側スライド部２１Ｂ及び右側スライド部２１Ｃは、その上端部２２のスライド方向２ｘの両端から、左方向２ｙ１及び右方向２ｙ２へと突出形成されている。また、中央壁部２０Ａは、上下方向２ｚにおける中間部に下側スライド部２１Ｄを有し、上下方向２ｚにおける下端部に被結束部４００を有する。ここでの下側ガイド部３１Ｄは、図５２及び図５３に示すように、中央壁部２０Ａの中間部のうち、主にスライド方向２ｘの両端がスライド部として機能する部分であり、それら両端は、それらの間の区間よりも左右方向２ｙに太く形成されている。
【０１０１】
被結束部４００は、図３５に示すように、結束部４をなすベルト部材４によって配線束５と共に巻きつけられるよう、ベルト部材４を挿通させる挿通孔４００Ｈ（図３６及び図３７参照）を有する。ここでの被結束部４００は、図４１〜図４５に示すように、中央壁部２０Ａの中間部（即ち、下側スライド部２１Ｄ）のスライド方向２ｘの両端側からそれぞれ下方に延出し、互いがスライド方向２ｘにおいて対向する対向壁部４００Ｔ、４００Ｔを有する。それら対向壁部４００Ｔ、４００Ｔは、左右方向２ｙの両側で互いを連結する対向壁部４００Ｓ、４００Ｓと接続し、これら壁部４００Ｔ、４００Ｓ、４００Ｔ、４００Ｓによって上下方向２ｚに貫通する筒状壁部が形成されている。一方、連結壁部４００Ｓ、４００Ｓは、左右方向２ｙに貫通する貫通孔４００Ｈ、４００Ｈを有する。配線束５は、筒状壁部をなす壁部４００Ｔ、４００Ｓ、４００Ｔ、４００Ｓの環状の下端部４００ＴＤ、４００ＳＤ、４００ＴＤ、４００ＳＤの下側に当接する形で配置される。つまり、下端部４００ＴＤ、４００ＳＤ、４００ＴＤ、４００ＳＤは、被結束部４００の下端部であり、配線当接部として機能する。ここでの下端部４００ＴＤ、４００ＳＤ、４００ＴＤ、４００ＳＤは、配線束５との当接面を、第一部材２よりも配線束５側に有する。このため、第二部材３が配線束５に対して非接触の形でスライド可能となっている。ベルト部材４は、連結壁部４００Ｓ、４００Ｓの貫通孔４００Ｈ、４００Ｈの双方に挿通され、連結壁部４００Ｓ、４００Ｓにおいて貫通孔４００Ｈ、４００Ｈの下側に位置する下端部４００ＳＤ、４００ＳＤと共に、配線束５を結束して保持する。
【０１０２】
第二部材３は、図４６及び図４７に示すように、スライド方向２ｘに長く延出してその直交方向に貫通する対向壁部３１Ｉ、３１Ｉを有するガイド部３１と、所定の相手コネクタ（図示なし）に対し接続可能なコネクタ部５００と、を備える。ガイド部３１の対向壁部３１Ｉ、３１Ｉは、その対向空間内に挿通されたスライド部２１を、スライド方向２ｘに往復スライド移動可能となるようガイドするガイド壁である。ここでのガイド部３１は、左側スライド部２１Ｂが挿通される環状の左側ガイド部３１Ｂと、右側スライド部２１Ｃが挿通される環状の右側ガイド部３１Ｃと、下側スライド部２１Ｄが挿通される対向壁をなす下側ガイド部３１Ｄと、を有する。
【０１０３】
左側ガイド部３１Ｂ及び右側ガイド部３１Ｃは、図５４〜図５６に示すように、上側と下側とでスライド方向２ｘに延出する対向壁部３１Ｉ、３１Ｉと、それらをスライド方向２ｘの両端で上下に連結する上下連結壁部３１Ｊ、３１Ｊと、を有した環状部をなす。それら対向壁部３１Ｉ、３１Ｉの対向間には、スライド方向２ｘに長い対向空間３１Ｈをなす長孔が形成され、この長孔３１Ｈに、対応するスライド部２１Ｂ、２１Ｃが挿通され、スライド方向２ｘへの往復移動が許容される。
【０１０４】
他方、下側ガイド部３１Ｄは、図５２及び図５３に示すように、左側と右側とでスライド方向２ｘに延出する対向壁部３１Ｉ、３１Ｉを有する。それら対向壁部３１Ｉ、３１Ｉの対向間には、スライド方向２ｘに長い対向空間３１Ｈが形成され、この対向空間３１Ｈに、下側スライド部２１Ｄが挿通され、スライド方向２ｘへの往復移動が許容される。ここでの下側ガイド部３１Ｄは、左側ガイド部３１Ｂ及び右側ガイド部３１Ｃのそれぞれにおいて、下側に位置する対向壁部３１Ｉ、３１Ｉによって形成されている。
【０１０５】
なお、左側ガイド部３１Ｂ及び右側ガイド部３１Ｃでは、それぞれの上側の対向壁部３１Ｉ、３１Ｉが、図４６及び図５３に示すように、左右方向２ｙにおいて中間壁部３１Ｘを挟んで連結した一続きの壁部（以下、上側対向壁部という）３１ＩＸをなす。この上側対向壁部３１ＩＸは、その上側にコネクタ部５００が形成され、その下側にガイド部３１Ｂ、３１Ｃ、３１Ｄを含むスライド機構が形成される。つまり、上側対向壁部３１ＩＸは、ガイド部３１Ｂ、３１Ｃ、３１Ｄを含むスライド機構側と、所定機能部をなすコネクタ部５００側とを分断する中間壁部である。
【０１０６】
また、第二部材３は、図５０に示すように、左右側及び下側のガイド部３１Ｂ、３１Ｃ、３１Ｄに取り囲まれる内側空間３０Ｓを有する。この内側空間３０Ｓは、各ガイド部３１Ｂ、３１Ｃ、３１Ｄの対向空間３１Ｈに対し連通する空間である。この内側空間３０Ｓは、第一部材２の中心部２２を収容し、各スライド部２１のスライド方向２ｘへの移動に伴う当該中心部２２の移動を許容する移動空間である。
【０１０７】
コネクタ部５００は、所定形状を有した相手コネクタ（図示なし）に対し接続可能な形状を有する。ここでのコネクタ部５００は、相手コネクタを左側から挿通させる挿通部５０１を有する。挿通部５０１は、図３６及び図３７に示すように、上述の上側対向壁部３１ＩＸと、上側対向壁部３１ＩＸのスライド方向２ｘの両側から上方向に立ち上がる側方壁部５０１Ｘ、５０１Ｘと、それら側方壁部５０１Ｘ、５０１Ｘを上側で連結する上側壁部５０１Ｚと、を有する。側方壁部５０１Ｘ、５０１Ｘは、図３７に示すように、互いの対向面に、相手コネクタの左方向２ｙ１への挿通をガイドするガイド溝５０１Ｖを有する。なお、側方壁部５０１Ｘ、５０１Ｘは、左方向２ｙ１側で開口する形で内部が中空とされており、それら中空空間５００Ｓがガイド溝５０１Ｖと連通している。上側壁部５０１Ｚは、図５１に示すように、その下面から下方に延出し、延出した先で相手コネクタの挿通方向である左方向２ｙ１に延出する弾性係止片５０１Ｙを有する。
【０１０８】
弾性係止片５０１Ｙは、図５１に示すように、その先端側（ここでは左端側）に下方向２ｚ２に突出する係止爪部５０１ｙを有する。相手コネクタは、挿通部５０１に対し右側から左方向２ｙ１に挿通されると、弾性係止片５０１Ｙの先端側（即ち、係止爪部５０１ｙ側）を上方向２ｚ１に押し上げる形で奥へと進入する。そして、所定位置に到達した際、係止爪部５０１ｙの直下には、当該係止爪部５０１ｙを収容する相手コネクタの収容凹部が位置するよう形成されており、このとき弾性係止片５０１Ｙは、係止爪部５０１ｙを当該収容凹部内へと収容する形で弾性復帰する。この弾性復帰により、係止爪部５０１ｙは当該収容凹部の内壁に係止され、これにより相手コネクタがコネクタ部５００に対し抜け止め状態に組み付けられる。
【０１０９】
ところで、スライド部２１を有する第一部材２には、ガタ抑制用突出部２３が設けられる。
【０１１０】
ガタ抑制用突出部２３は、図３６〜図３８に示すように、第一部材２の各スライド部２１から、対応するガイド部３１の対向壁部３１Ｉに向かって突出形成される。これにより、各スライド部２１は、図４８〜図５６に示すように、対応するガイド部３１をなす対向壁部３１Ｉとの間の隙間幅を減じている。なお、ここでのガタ抑制用突出部２３は、少なくとも対応するスライド部２１におけるスライド方向２ｘの両端部に設けられる。また、ここでのガタ抑制用突出部２３は、ガイド部３１Ｂ、３１Ｃ、３１Ｄをなす対向壁部３１Ｉ、３１Ｉ間に挿通される各スライド部２１Ｂ、２１Ｃ、２１Ｄにおいて、その挿通方向に延出形成されたガタ抑制リブ２３Ｂ、２３Ｃ、２３Ｄである。
【０１１１】
ガタ抑制リブ２３Ｂ、２３Ｃは、図４１に示すように、中央壁部２０Ａの上端部２２のスライド方向２ｘの両端から左方向２ｙ１及び右方向２ｙ２へと突出形成された左側スライド部２１Ｂ、２１Ｂ及び右側スライド部２１Ｃ、２１Ｃから上下それぞれに突出し、それぞれが図４８〜図５０に示すように、左右方向２ｙへと延出する直線状リブである。
【０１１２】
ガタ抑制リブ２３Ｄは、図４２及び図４３に示すように、中央壁部２０Ａの中間部をなすスライド部２１Ｄのスライド方向２ｘの両端部において左右それぞれに突出し、それぞれが図５２及び図５３に示すように、スライド方向２ｘに延出する直線状リブである。
【０１１３】
次に、第二実施例のスライド機構組込み式部品１の製造方法について説明する。
【０１１４】
なお、第二実施例のスライド機構組込み式部品１も、第一部材２と第二部材３との２部品がそれぞれ別の金型で成形されるのではなく、１つの金型１００によって同時に成形される。
【０１１５】
第二実施例における金型１００は、図５７に示す複数の金型部１０２が型締めされる形で構成される。即ち、金型部１０２は、左方向２ｙ１に型抜きされる金型左部（第二金型部）１０２Ｂと、右方向２ｙ２に型抜きされる金型右部（第三金型部）１０２Ｃと、を有するとともに、型締めされたそれら金型左部１０２Ｂと金型右部１０２Ｃとの内部に配置される５つの入れ子１０２Ｅ、１０２Ｆ、１０２ＢＢ、１０２ＣＣ、１０２Ｄを有する。金型左部１０２Ｂと金型右部１０２Ｃとが型開きされた後、成形されたスライド機構組込み式部品１に対して、第一の入れ子１０２ＢＢは左方向２ｙ１に型抜きされ、第二の入れ子１０２ＣＣは右方向２ｙ２に型抜きされ、第三の入れ子１０２Ｅはスライド方向２ｘの第一側（符号２ｘ２の方向）に型抜きされ、第四の入れ子１０２Ｆはスライド方向２ｘの第一側とは逆の第二側（符号２ｘ１の方向）に型抜きされ、第五の入れ子１０２Ｄ（第一金型部）は、下方向２ｚ２に型抜きされる。
【０１１６】
第一の入れ子１０２ＢＢ及び第二の入れ子１０２ＣＣは、同様に形成される。第一の入れ子１０２ＢＢは、図５７に示すように、基端部１０１Ｒと、その基端部１０１Ｒから右方向２ｙ２に突出し、環状をなす左側ガイド部３１Ｂの成形空間１３０Ｇ（図５８〜図６０参照）の内周側に挿通される突出部１０１Ｔと、を有する。また、第一の入れ子１０２ＢＢは、その先端面１０１ｔから左方向２ｙ１に凹む凹部１０１Ｓを有する。ここでの第一の入れ子１０２ＢＢは、上面を形成する上側壁部のうちスライド方向２ｘの中間部が左方向２ｙ１に突出する上側突出部１０１ＴＵを有する。
【０１１７】
第二の入れ子１０２ＣＣは、図５７に示すように、基端部１０１Ｒと、その基端部１０１Ｒから左方向２ｙ１に突出し、環状をなす右側ガイド部３１Ｃの成形空間１３０Ｇ（図５８〜図６０参照）の内周側に挿通される突出部１０１Ｔと、を有する。第二の入れ子１０２ＣＣの突出部１０１Ｔは、その先端面１０１ｔから右方向２ｙ２に凹む凹部１０１Ｓを有する。ここでの第二の入れ子１０２ＣＣは、上面を形成する上側壁部のうちスライド方向２ｘの中間部が右方向２ｙ２に突出する上側突出部１０１ＴＵを有する。
【０１１８】
第三の入れ子１０２Ｅ及び第四の入れ子１０２Ｆは、同様に形成される。第三の入れ子１０２Ｅは、図５７に示すように、基端部１０１Ｒと、その基端部１０１Ｒからスライド方向２ｘの第二側（矢印２ｘ２が示す方向側）に突出し、左側ガイド部３１Ｂ及び右側ガイド部３１Ｃが対向する対向空間に対しスライド方向２ｘの第一側（矢印２ｘ１が示す方向側）から挿通される突出部１０１Ｔと、を有する。この突出部１０１Ｔは、その先端面１０１ｔからスライド方向２ｘの第一側に凹む凹部１０１Ｓを有する。ただし、図５８及び図５９に示すように、この突出部１０１Ｔは、その下端に凹部１０１Ｓの内部と外部とが連通するよう下方向２ｚ２に開口する下端開口１０２ＨＤを有する。さらにこの突出部１０１Ｔは、左右対向壁部の上端側に凹部１０１Ｓの内部と外部とが連通するようスライド方向２ｘの第二側端縁から第一側へと切り欠かれた切り欠き開口１０２ＨＢ、１０２ＨＣを有する。また、この突出部１０１Ｔは、図５８、図６２、図６３に示すように、凹部１０１Ｓの底面中央からスライド方向２ｘの第二側へと突出する中央凸部１０２ＨＴを有する。
【０１１９】
第四の入れ子１０２Ｆは、図５７に示すように、基端部１０１Ｒと、その基端部１０１Ｒからスライド方向２ｘの第二側（矢印２ｘ２側）に突出し、左側ガイド部３１Ｂ及び右側ガイド部３１Ｃが対向する対向空間に対しスライド方向２ｘの第二側から挿通される突出部１０１Ｔと、を有する。第四の入れ子１０２Ｆの突出部１０１Ｔは、第三の入れ子１０２Ｅの突出部１０１Ｔと同様、凹部１０１Ｓを有するとともに、下端開口１０２ＨＤと、切り欠き開口１０２ＨＢ、１０２ＨＣと、中央凸部１０２ＨＴと、を有する。
【０１２０】
第五の入れ子１０２Ｄは、図５７に示すように、基端部１０１Ｒと、その基端部１０１Ｒから上方向２ｚ１に突出して第一部材２の被結束部４００を上方に貫通するとともに（図６０及び図６１参照）、その先で左側ガイド部３１Ｂ及び右側ガイド部３１Ｃが対向する対向空間に対し下方向２ｚ２から挿通される突出部１０１Ｔと、を有する。第五の入れ子１０２Ｄの突出部１０１Ｔは、その先端面１０１ｔから下方向２ｚ２に凹む凹部１０１Ｓを有する。
【０１２１】
金型右部１０２Ｃは、図５７に示すように、第一部材２及び第二部材３の成形空間１２０、１３０と、入れ子１０２Ｅ、１０２Ｆ、１０２ＢＢ、１０２Ｄの配置空間と、を形成するために、右方向２ｙ２に凹む凹部１０１ＳＳを有する。この凹部１０１ＳＳは、その外周を取り囲む外周壁部１０１Ｑにより形成される。なお、この凹部１０１ＳＳは、入れ子１０２Ｅ、１０２Ｆ、１０２ＢＢ、１０２Ｄのそれぞれの基端部１０１Ｒの右側を嵌合させる凹部１０１Ｇを含む。
【０１２２】
金型左部１０２Ｂは、図５７には現れないものの、金型右部１０２Ｃと同様に形成される。ただし、形状には多少の違いを有する。金型左部１０２Ｂは、第一部材２及び第二部材３の成形空間１２０、１３０と、入れ子１０２Ｅ、１０２Ｆ、１０２ＣＣ、１０２Ｄの配置空間とを形成するために、左方向２ｙ１に凹む凹部１０１ＳＳを有する。この凹部１０１ＳＳは、入れ子１０２Ｅ、１０２Ｆ、１０２ＢＢ、１０２Ｄのそれぞれの基端部１０１Ｒの左側を嵌合させる凹部１０１Ｇを含む。この凹部１０１ＳＳは、その外周を取り囲む外周壁部１０１Ｑにより形成される。
【０１２３】
金型１００は、金型部１０２Ｂ、１０２Ｃが型締めされ、その内部の所定位置に５つの入れ子１０２Ｅ、１０２Ｆ、１０２ＢＢ、１０２ＣＣ、１０２Ｄがそれぞれ所定位置に配置されている。以下、その型締め状態の金型１００の内部構造について、図５８〜図６５を用いて説明する。
【０１２４】
金型１００は、図５８〜図６１に示すように、金型左部１０２Ｂと金型右部１０２Ｃとの双方の基端部１０１Ｒ（具体的にいえば双方の外周壁部１０１Ｑ）を、左右方向２ｙにおいて当接させている。このとき、金型左部１０２Ｂと金型右部１０２Ｃとは、それら双方の凹部１０１ＳＳが左右方向２ｙに対向しており、それら対向間に内部空間を形成している。その内部空間は、コネクタ部５００の成形空間１３０Ｓが形成される上側空間１５０ＳＫと、ガイド部３１の成形空間１３０Ｇが形成される中央空間１５０ＧＫと、被結束部４００の成形空間１２０Ｓが形成される下側空間１５０ＴＫとを、上下方向に連なる１つの連通空間として有する。
【０１２５】
中央空間１５０ＧＫには、入れ子１０２Ｅ、１０２Ｆ、１０２ＢＢ、１０２ＣＣが配置される。具体的にいえば、中央空間１５０ＧＫでは、金型左部１０２Ｂ及び金型右部１０２Ｃの凹部１０１Ｇのうち対応するもの同士が左右方向２ｙに対向し、その対向間に嵌合空間を形成している。入れ子１０２Ｅ、１０２Ｆ、１０２Ｄは、それら嵌合空間に嵌合配置される。他方、入れ子１０２ＢＢ、１０２ＣＣは、それぞれ金型左部１０２Ｂと金型右部１０２Ｃとの一方に設けられた所定の凹部１０１Ｇに嵌合配置され、左右方向２ｙにおいて互いに対向して位置する。各入れ子１０２Ｅ、１０２Ｆ、１０２ＢＢ、１０２ＣＣは、それぞれの突出部１０１Ｔが、自身とは異なる他の金型部１０２に対し対向し、その対向間に内部空間１２０Ｑを形成している。
【０１２６】
他方、入れ子１０２ＢＢ、１０２ＣＣは、図６０及び図６１に示すように、互いの突出部１０１Ｔの上側突出部１０１ＴＵを左右方向２ｙにおいて当接させている。この当接状態の上側突出部１０１ＴＵに対し、入れ子１０２Ｅ、１０２Ｆは、図６５に示すように、互いの突出部１０１Ｔの上面を形成する上側壁部１０１ＴＴを、スライド方向２ｘの両側から当接させている。さらに、入れ子１０２Ｅ、１０２Ｆは、図５８及び図５９に示すように、互いの突出部１０１Ｔの左右の面を形成する左右側の壁部（図中央の入れ子１０２Ｅに対し符号１０１ＴＬ、１０１ＴＭによって示された壁部）を、入れ子１０２ＢＢ、１０２ＣＣの突出部１０１Ｔの先端面１０１ｔに対しそれぞれ当接させている。
【０１２７】
これにより、中央空間１５０ＧＫ内には、図６４〜図６６に示すように、入れ子１０２ＢＢ、１０２ＣＣ、１０２Ｅ、１０２Ｆの突出部１０１Ｔの上面側に、上側空間１５０ＳＫと連通する中央上側空間１３０ＧＡが形成される。この中央上側空間１３０ＧＡは、上述した壁部３１Ｉ、３１Ｘ、３１Ｉからなる上側対向壁部３１ＩＸの成形空間である。
【０１２８】
また、中央空間１５０ＧＫ内には、図６４及び図６６に示すように、金型部１０２Ｂ、１０２Ｃのスライド方向２ｘにおける両側の内壁面と、入れ子１０２ＢＢ、１０２ＣＣの突出部１０１Ｔのスライド方向２ｘにおける両外側の側面との間に、中央左側空間及び中央右側空間１３０ＧＪ、１３０ＧＪが形成される。ただし、図６２に示すように、中央空間１５０ＧＫ内にはその左右方向２ｙの中央に入れ子１０２Ｅ、１０２Ｆが配置され、中央空間１５０ＧＫを左右に分断しているため、中央左側空間及び中央右側空間１３０ＧＪ、１３０ＧＪは、左右方向２ｙにおいて分断された対向空間をなす。これら中央左側空間及び中央右側空間１３０ＧＪ、１３０ＧＪは、上述した上下連結壁部３１Ｊ、３１Ｊの成形空間である。
【０１２９】
また、中央空間１５０ＧＫ内には、図６４及び図６６に示すように、その下側の内壁面と、入れ子１０２ＢＢ、１０２ＣＣの突出部１０１Ｔの下面との間に、中央下側空間１３０ＧＤが形成される。この中央下側空間１３０ＧＤも、入れ子１０２Ｅ、１０２Ｆによって、左右方向２ｙに分断された対向空間をなす。具体的にいえば、入れ子１０２ＢＢ、１０２ＣＣは、それらの突出部１０１Ｔの先端側下端に切欠き部１０１ＳＴを有し、他方、金型部１０２Ｂ、１０２Ｃも、それら切欠き部１０１ＳＴに対し上下方向２ｚにおいて対向する凹部１０２ＳＴを有する。中央下側空間１３０ＧＤは、これら切欠き部１０１ＳＴと凹部１０２ＳＴとに挟まれた対向空間である。この中央下側空間１３０ＧＤは、上述した壁部３１Ｉ、３１Ｘ、３１Ｉからなる上側対向壁部３１ＩＸの下側で対向する対向壁部３１Ｉ、３１Ｉの成形空間である。
【０１３０】
これら中央上側空間１３０ＧＡと、中央左側空間及び中央右側空間１３０ＧＪ、１３０ＧＪと、中央下側空間１３０ＧＤとは、図６４及び図６６に示すように、左右方向２ｙにおいて対向する環状の連通空間１３０Ｇ、１３０Ｇを形成している。それら環状の連通空間１３０Ｇ、１３０Ｇは、左側ガイド部３１Ｂ及び右側ガイド部３１Ｃの成形空間（即ち、ガイド部成型空間）であり、中央空間１５０ＧＫ内において入れ子１０２ＢＢ、１０２ＣＣ、１０２Ｅ、１０２Ｆの突出部１０１Ｔの外側を取り囲む外側空間である。
【０１３１】
一方、各入れ子１０２ＢＢ、１０２ＣＣ、１０２Ｅ、１０２Ｆの突出部１０１Ｔは、他の金型部１０２と対向しており、その対向間に内部空間１２０Ｑを形成している（図６０〜図６５参照）。具体的にいえば、入れ子１０２ＢＢ、１０２ＣＣは、図５８〜図６０に示すように、左右方向２ｙにおいて互いに対向し、その対向間に内部空間１２０Ｑを有する。また、入れ子１０２Ｅ、１０２Ｆも、図６２及び図６３に示すように、スライド方向２ｘにおいて互いに対向し、その対向間に内部空間１２０Ｑを有する。ただし、これら４つの入れ子１０２ＢＢ、１０２ＣＣ、１０２Ｅ、１０２Ｆにより形成される内部空間１２０Ｑは、下側空間１５０ＴＫと連通している（即ち、図５８〜図６１において金型部１０１Ｄが存在していない状態）。さらに、この状態の内部空間１２０Ｑは、左側ガイド部３１Ｂ及び右側ガイド部３１Ｃの成形空間１３０Ｇ、１３０Ｇの下側（即ち、中央下側空間１３０ＧＤ、１３０ＧＤ）とも連通している。ところが、下側空間１５０ＴＫに入れ子１０２Ｄが配置されることで、内部空間１２０Ｑからそれらの空間１５０ＴＫ、１３０ＧＤへと直接続く連通口が塞がれる。
【０１３２】
具体的にいえば、入れ子１０２Ｄの突出部１０１Ｔは、図６０及び図６１に示すように、下側空間１５０ＴＫから中央空間１５０ＧＫにつながる開口を塞ぐようにして上方向に挿通され、４つの入れ子１０２ＢＢ、１０２ＣＣ、１０２Ｅ、１０２Ｆにより形成される下側の開口に入り込む形で配置される。これにより、入れ子１０２Ｄは、内部空間１２０Ｑと下側空間１５０ＴＫとを非連通に塞いでいる。一方で、入れ子１０２Ｄの突出部１０１Ｔは、左右方向２ｙにおいて対向する対向壁部１０１ＴＤ、１０１ＴＤ（図５７参照）であり、その対向間に、スライド方向２ｘに延出する溝状の凹部１０１Ｓを有する。この対向壁部１０１ＴＤ、１０１ＴＤが、内部空間１２０Ｑと、左側ガイド部３１Ｂ及び右側ガイド部３１Ｃの成形空間１３０Ｇ、１３０Ｇの下側（即ち、中央下側空間１３０ＧＤ、１３０ＧＤ）とを非連通に塞いでいる。
【０１３３】
このように、各入れ子１０２ＢＢ、１０２ＣＣ、１０２Ｅ、１０２Ｆ、１０２Ｄは、それぞれの突出部１０１Ｔ（図中では１０１ＴＵ、１０１ＴＴ、１０１ＴＤ、１０１ＴＤ、１０１ＴＬ、１０１ＴＭとして示されている場合もある）が対応するガイド部成形空間１３０Ｇを通過した先で他の金型部１０２と当接する当接部１０１Ｐを有している。内部空間１２０Ｑは、それら当接部１０１Ｐによって仕切られ、外側の左側ガイド部３１Ｂ及び右側ガイド部３１Ｃの成形空間１３０Ｇ、１３０Ｇに対し非連通に隔てられている。
【０１３４】
また、各入れ子１０２ＢＢ、１０２ＣＣ、１０２Ｅ、１０２Ｆ、１０２Ｄは、それぞれの突出部１０１Ｔの先端面１０１ｔに、型抜き方向に凹む凹部１０１Ｓを有する。内部空間１２０Ｑは、これら凹部１０１Ｓ内の空間１２０Ｐと連通している。これら凹部１０１Ｓ内の空間１２０Ｐは、第一部材２のスライド部２１を成形するスライド部成形空間１２０Ｐである。
【０１３５】
ところが、入れ子１０２Ｅ、１０２Ｆは、図５８、図５９、図６５に示すように、それぞれの凹部１０１Ｓを下方に連通させる下端開口１０２ＨＤを有する。内部空間１２０Ｑは、この下端開口１０２ＨＤを介して間接的に、下側空間１５０ＴＫと連通している。正確にいえば、下側空間１５０ＴＫ内には入れ子１０２Ｄが配置されているため、内部空間１２０Ｑは、下側空間１５０ＴＫのうち入れ子１０２Ｄを除いた残空間１２０Ｓと間接的に連通している。この残空間１２０Ｓは、被結束部４００の成形空間（被結束部成形空間）である。これら空間１２０Ｑ、１２０Ｐ、１２０Ｓにより、第一部材成形空間１２０が形成されている。
【０１３６】
被結束部４００の成形空間（被結束部成形空間）１２０Ｓは、上下方向２ｚに延出する入れ子１０２Ｄを取り囲む左右方向２ｙの両側とスライド方向２ｘの両側とで取り囲んだ筒状空間である。一方で、図６１に示すように、金型左部１０２Ｂ及び金型右部１０２Ｃは、それぞれ左右方向２ｙにおいて突出して、入れ子１０２Ｄに当接する突出部１０２ＢＴ、１０２ＣＴを有している。これら突出部１０２ＢＴ、１０２ＣＴにより、ベルト部材４を挿通させる挿通孔４００Ｈが成形される。
【０１３７】
ところで、入れ子１０２ＢＢ、１０２ＣＣ、１０２Ｅ、１０２Ｆ、１０２Ｄの突出部１０１Ｔは、図６４及び図６６に示すように、スライド部２１Ｂ、２１Ｃ、２１Ｄの成形空間１２０Ｐを取り囲む環状壁部であり、それらスライド部２１Ｂ、２１Ｃ、２１Ｄが挿通されるガイド部３１Ａ、３１Ｂ、３１Ｃ、３１Ｄの成形空間１３０Ｇと、それらスライド部２１Ａ、２１Ｂ、２１Ｃ、２１Ｄの成形空間１２０Ｐとの間を仕切る仕切壁部１０１Ｐをなす。これら仕切壁部１０１Ｐには、ガタ抑制用突出部２３Ｂ、２３Ｃ、２３Ｄを成形する凹部（即ち、ガタ抑制用突出部成形用凹部）１２０Ｌが形成される。
【０１３８】
入れ子１０２ＢＢ、１０２ＣＣの凹部１０１Ｓは、図６４及び図６６に示すように、その上側内壁面におけるスライド方向２ｘの両端にて上方向２ｚ１に凹み、かつ図５８に示すように、内部空間１２０Ｑに向かって左右方向２ｙに延出する溝部１２０Ｌを有する。当該溝部１２０Ｌは、スライド部２１Ｂ、２１Ｃの上面のガタ抑制リブ２３Ｂ、２３Ｃを成形する凹部であり、内側空間１２０Ｑに接続している。
【０１３９】
また、入れ子１０２ＢＢ、１０２ＣＣの凹部１０１Ｓは、図６４及び図６６に示すように、その下側内壁面におけるスライド方向２ｘの両端にて下方向２ｚ２に凹み、かつ図５８に示すように、内部空間１２０Ｑに向かって左右方向２ｙに延出する溝部１２０Ｌを有する。当該溝部１２０Ｌが、スライド部２１Ｂ、２１Ｃの下面のガタ抑制リブ２３Ｂ、２３Ｃを成形する凹部であり、内側空間１２０Ｑに接続している。
【０１４０】
ここでの入れ子１０２ＢＢ、１０２ＣＣの凹部１０１Ｓは、図６４及び図６６に示すように、スライド方向２ｘの中央で分断され、スライド方向２ｘの両側に形成されており、上記溝部１２０Ｌは、ここではそれら両側の凹部１０１Ｓの上側内壁面と下側内壁面におけるスライド方向２ｘの外側端部に形成されている。
【０１４１】
入れ子１０２Ｅ、１０２Ｆの凹部１０１Ｓは、図５８及び図５９に示すように、左右両側で対向する内壁面に、それぞれ左右双方に凹み、かつ内部空間１２０Ｑに向かってスライド方向２ｘに延出する溝部１２０Ｌを有する。当該溝部１２０Ｌは、下側スライド部２１Ｄの左右双方の面のガタ抑制リブ２３Ｄ、２３Ｄを成形する凹部であり、内側空間１２０Ｑに接続している。
【０１４２】
スライド部２１Ｂ、２１Ｃの突出部１０１Ｔは、図６４及び図６６に示すように、スライド方向２ｘにおいて溝部１２０Ｌが形成される凹区間を薄肉部１０１ＴＬとし、残余区間をその薄肉部１０１ＴＬよりも厚みのある厚肉部１０１ＴＭとして有する。
【０１４３】
スライド部２１Ｄの突出部１０１Ｔは、図５８及び図５９に示すように、上下方向２ｚにおいて溝部１２０Ｌが形成される凹区間を薄肉部１０１ＴＬとし、その上下に位置する残余区間をその薄肉部１０１ＴＬよりも厚みのある厚肉部１０１ＴＭとして有する。
【符号の説明】
【０１４４】
１００  金型
１０１、１０２  金型部
１０１Ｔ  突出部
１０１ｔ  突出部の先端面
１０１Ｓ  凹部
１０１Ｐ  仕切壁部（当接部）
１０１ＴＬ  薄肉部
１０１ＴＭ  厚肉部
１２０  第一部材成形空間
１２０Ｌ  突出部成形用凹部
１３０  第二部材成形空間
１３３、１３４、１３５、１３６  柱部成形空間（対向壁部成形空間）
２  第一部材
３  第二部材
２００  係合組付け部
４００  被結束部
４００ＴＤ、４００ＳＤ、４００ＴＤ、４００ＳＤ  被結束部の下端部（配線当接部）
５００  コネクタ部
２１  スライド部
２１ｂ、２１ｃ  目視用先端部
２３  ガタ抑制用突出部
３１  ガイド部
３１Ｄ  下側ガイド部（配線当接部）
３１Ｉ  対向壁部
５  配線束
【図１】
2018001667.tif 000003
【図２】
2018001667.tif 000004
【図３】
2018001667.tif 000005
【図４】
2018001667.tif 000006
【図５】
2018001667.tif 000007
【図６】
2018001667.tif 000008
【図７】
2018001667.tif 000009
【図８】
2018001667.tif 000010
【図９】
2018001667.tif 000011
【図１０】
2018001667.tif 000012
【図１１】
2018001667.tif 000013
【図１２】
2018001667.tif 000014
【図１３】
2018001667.tif 000015
【図１４】
2018001667.tif 000016
【図１５】
2018001667.tif 000017
【図１６】
2018001667.tif 000018
【図１７】
2018001667.tif 000019
【図１８】
2018001667.tif 000020
【図１９】
2018001667.tif 000021
【図２０】
2018001667.tif 000022
【図２１】
2018001667.tif 000023
【図２２】
2018001667.tif 000024
【図２３】
2018001667.tif 000025
【図２４】
2018001667.tif 000026
【図２５】
2018001667.tif 000027
【図２６】
2018001667.tif 000028
【図２７】
2018001667.tif 000029
【図２８】
2018001667.tif 000030
【図２９】
2018001667.tif 000031
【図３０】
2018001667.tif 000032
【図３１】
2018001667.tif 000033
【図３２】
2018001667.tif 000034
【図３３】
2018001667.tif 000035
【図３４】
2018001667.tif 000036
【図３５】
2018001667.tif 000037
【図３６】
2018001667.tif 000038
【図３７】
2018001667.tif 000039
【図３８】
2018001667.tif 000040
【図３９】
2018001667.tif 000041
【図４０】
2018001667.tif 000042
【図４１】
2018001667.tif 000043
【図４２】
2018001667.tif 000044
【図４３】
2018001667.tif 000045
【図４４】
2018001667.tif 000046
【図４５】
2018001667.tif 000047
【図４６】
2018001667.tif 000048
【図４７】
2018001667.tif 000049
【図４８】
2018001667.tif 000050
【図４９】
2018001667.tif 000051
【図５０】
2018001667.tif 000052
【図５１】
2018001667.tif 000053
【図５２】
2018001667.tif 000054
【図５３】
2018001667.tif 000055
【図５４】
2018001667.tif 000056
【図５５】
2018001667.tif 000057
【図５６】
2018001667.tif 000058
【図５７】
2018001667.tif 000059
【図５８】
2018001667.tif 000060
【図５９】
2018001667.tif 000061
【図６０】
2018001667.tif 000062
【図６１】
2018001667.tif 000063
【図６２】
2018001667.tif 000064
【図６３】
2018001667.tif 000065
【図６４】
2018001667.tif 000066
【図６５】
2018001667.tif 000067
【図６６】
2018001667.tif 000068